(57)【要約】【課題】多数の設定項目を適切に表示し、使用者に、衣類の処理に関する設定を促すことができる衣類処理装置を提供することを目的とする。【解決手段】本出願は、衣類に対する処理を行う処理機構と、入力情報を受け付ける入力インターフェースと、処理機構を制御する制御部と、を備える衣類処理装置を開示する。入力インターフェースは、入力情報を入力するための入力操作が実行される操作領域を規定する操作部と、操作領域に入力情報に関連する主アイコンが描かれる第１表示領域を含む第１操作画像と、主アイコンに関連づけられた副アイコンが描かれる第２表示領域を含む第２操作画像と、を選択的に表示する表示部と、を含む。主アイコンに対する操作がなされるならば、表示部は、操作領域に表示される画像を第１操作画像から第２操作画像に切り替える。第２表示領域は、第１表示領域よりも広い。【選択図】図１
2014042704.tif 000002
【特許請求の範囲】
【請求項１】
衣類に対して所定の処理を行う処理機構と、
該処理機構が実行する処理に関する入力情報を受け付ける入力インターフェースと、
前記入力情報に応じて、前記処理機構を制御する制御部と、を備え、
前記入力インターフェースは、
前記入力情報を入力するための入力操作が実行される操作領域を規定する操作部と、
前記操作領域に前記入力情報に関連する少なくとも１つの主アイコンが描かれる第１表示領域を含む第１操作画像と、前記少なくとも１つの主アイコンに関連づけられた複数の副アイコンが描かれる第２表示領域を含む第２操作画像と、を選択的に表示する表示部と、を含み、
前記少なくとも１つの主アイコンに対する操作がなされるならば、前記表示部は、前記操作領域に表示される画像を前記第１操作画像から前記第２操作画像に切り替え、
前記第２表示領域は、前記第１表示領域よりも広いことを特徴とする衣類処理装置。
【請求項２】
前記操作領域は、第１方向における第１寸法と、前記第１方向に対して直角方向の第２方向における第２寸法と、を有し、
前記第２寸法は、前記第１寸法より長く、
前記第２表示領域は、前記第２方向において、前記第１表示領域よりも長いことを特徴とする請求項１に記載の衣類処理装置。
【請求項３】
前記第２方向は、水平方向であることを特徴とする請求項２に記載の衣類処理装置。
【請求項４】
前記操作部は、前記操作領域における接触を検出し、該接触がなされた接触位置に関する位置情報を前記制御部へ出力する検出部を含み、
前記制御部は、前記位置情報に応じて、前記少なくとも１つの主アイコンに対する操作がなされたか否かを判定し、
前記制御部が、前記少なくとも１つの主アイコンに対する操作がなされたと判定するならば、前記表示部は、前記第１操作画像から前記第２操作画像へ前記画像を切り替えることを特徴とする請求項１乃至３のいずれか１項に記載の衣類処理装置。
【請求項５】
前記表示部は、光を出射する光源と、前記光を変調し、前記画像を表示するための映像光を作り出す液晶パネルと、を含み、
前記検出部は、前記映像光の透過を許容することを特徴とする請求項４に記載の衣類処理装置。
【請求項６】
前記第２操作画像を表示する前記表示部は、前記複数の副アイコンが前記第２方向に整列した帯画像を前記第２表示領域内で描くことを特徴とする請求項４又は５に記載の衣類処理装置。
【請求項７】
前記少なくとも１つの主アイコンは、前記衣類の汚れの因子に応じた洗浄動作を前記処理機構に実行させるための因子設定アイコンを含み、
前記複数の副アイコンは、前記衣類の汚れの因子を表す複数の因子アイコンを含み、
前記因子設定アイコンに対する操作がなされるならば、前記表示部は、その後、前記複数の因子アイコンが前記第２方向に整列した前記帯画像を前記第２表示領域内で描くことを特徴とする請求項６に記載の衣類処理装置。
【請求項８】
前記位置情報が前記第２表示領域における前記第２方向への前記接触位置の変位を表すならば、前記表示部は、前記接触位置の変位方向へ前記帯画像をスクロールさせ、前記第２表示領域に表示される前記複数の因子アイコンの組み合わせを変更することを特徴とする請求項７に記載の衣類処理装置。
【請求項９】
前記制御部は、前記複数の因子アイコンに関するアイコンデータを格納する記憶部と、該記憶部から前記アイコンデータを読み出し、前記帯画像に関する帯画像データを生成する画像生成部と、を含み、
該画像生成部は、前記接触位置の前記変位に応じて生成された前記帯画像データを前記表示部へ出力することを特徴とする請求項８に記載の衣類処理装置。
【請求項１０】
前記第２表示領域は、前記帯画像がスクロールされるスクロール領域と、前記複数の因子アイコンから選択された少なくとも１つの因子アイコンが表示される選択表示領域と、を含むことを特徴とする請求項７乃至９のいずれか１項に記載の衣類処理装置。
【請求項１１】
前記選択表示領域内に、前記少なくとも１つの因子アイコン表示された場合、前記制御部は、前記少なくとも１つの１つの因子アイコンに応じて、前記処理機構を制御することを特徴とする請求項１０に記載の衣類処理装置。
【請求項１２】
前記表示部は、前記スクロール領域から前記選択表示領域へドラッグされる前記少なくとも１つの因子アイコンを描くことを特徴とする請求項１０又は１１に記載の衣類処理装置。
【請求項１３】
前記表示部は、前記選択表示領域内に、前記複数の因子アイコンから選択された２以上の因子アイコンがそれぞれ表示される複数の表示窓を描き、
前記制御部は、前記複数の表示窓に描かれた前記２以上の因子アイコンに応じて、前記処理機構を制御することを特徴とする請求項１０乃至１２のいずれか１項に記載の衣類処理装置。
【発明の詳細な説明】
【技術分野】
【０００１】
本発明は、衣類に対する洗濯、脱水や乾燥といった処理を行う衣類処理装置に関する。
【背景技術】
【０００２】
衣類を洗濯する洗濯機、衣類を乾燥する乾燥機や洗濯機能及び乾燥機能を有する洗濯乾燥機といった衣類処理装置は、典型的には、処理内容を設定するための入力インターフェースを備える。使用者は、入力インターフェースを操作し、洗濯水の温度、脱水処理の間の回転ドラムの回転数や衣類の種類といった様々な種類の情報を入力することができる。
【０００３】
特許文献１は、洗濯機に取り付けられる表示装置を開示する。当該表示装置は、上述の入力インターフェースとして機能する。特許文献１の表示装置は、洗濯機の動作内容に関連する情報を表示する表示領域と、表示領域の周囲に配置された多数のボタンと、を備える。使用者は、表示領域に表示される情報を参照し、多数のボタンを操作することができる。洗濯機は、入力された情報に応じて、適切な洗濯処理を実行することができる。
【先行技術文献】
【特許文献】
【０００４】
【特許文献１】特開２００８−６６１６３号公報
【発明の概要】
【発明が解決しようとする課題】
【０００５】
洗濯機に対する設定項目が増加するならば、洗濯機の動作は、洗濯環境（例えば、衣類の種類や水温）に対して最適な動作に近づくことができる。しかしながら、多数の設定項目は、多数のボタンに帰結するので、入力インターフェースは大型化する。
【０００６】
本発明は、多数の設定項目を適切に表示し、使用者に、衣類の処理に関する設定を促すことができる衣類処理装置を提供することを目的とする。
【課題を解決するための手段】
【０００７】
本発明の一局面に係る衣類処理装置は、衣類に対して所定の処理を行う処理機構と、該処理機構が実行する処理に関する入力情報を受け付ける入力インターフェースと、前記入力情報に応じて、前記処理機構を制御する制御部と、を備える。前記入力インターフェースは、前記入力情報を入力するための入力操作が実行される操作領域を規定する操作部と、前記操作領域に前記入力情報に関連する少なくとも１つの主アイコンが描かれる第１表示領域を含む第１操作画像と、前記少なくとも１つの主アイコンに関連づけられた複数の副アイコンが描かれる第２表示領域を含む第２操作画像と、を選択的に表示する表示部と、を含む。前記少なくとも１つの主アイコンに対する操作がなされるならば、前記表示部は、前記操作領域に表示される画像を前記第１操作画像から前記第２操作画像に切り替える。前記第２表示領域は、前記第１表示領域よりも広い。
【０００８】
上記構成によれば、使用者は、入力インターフェースを操作し、入力情報を入力することができる。制御部は、入力情報に応じて、処理機構を制御するので、処理機構は、入力情報に基づいて適切に所定の処理を実行することができる。
【０００９】
操作部が規定する操作領域には、第１操作画像及び第２操作画像が選択的に表示される。使用者が、第１操作画像中の第１表示領域に描かれた主アイコンを操作すると、表示部は、操作領域に表示される画像を、第１操作画像から第２操作画像へ切り替える。第２表示領域は、第１表示領域よりも広いので、主アイコンに関連づけられた複数の副アイコンは適切に表示される。したがって、衣類処理装置は、多数の設定項目を適切に表示し、使用者に、衣類の処理に関する設定を促すことができる。
【００１０】
上記構成において、前記操作領域は、第１方向における第１寸法と、前記第１方向に対して直角方向の第２方向における第２寸法と、を有してもよい。前記第２寸法は、前記第１寸法より長くてもよい。前記第２表示領域は、前記第２方向において、前記第１表示領域よりも長くてもよい。
【００１１】
上記構成によれば、操作領域は、第２方向において比較的長い。同様に、第２表示領域も第２方向において、第１表示領域よりも長い。したがって、画像が、第１操作画像から第２操作画像へ切り替えられると、第１表示領域から第２方向に長い第２表示領域に切り替わることとなる。この結果、主アイコンに関連づけられた複数の副アイコンは適切に表示される。したがって、衣類処理装置は、多数の設定項目を適切に表示し、使用者に、衣類の処理に関する設定を促すことができる。
【００１２】
上記構成において、前記第２方向は、水平方向であってもよい。
【００１３】
上記構成によれば、第２方向は、水平方向であるので、使用者は、主アイコンに関連づけられた複数の副アイコンを視認しやすい。したがって、衣類処理装置は、多数の設定項目を適切に表示し、使用者に、衣類の処理に関する設定を促すことができる。
【００１４】
上記構成において、前記操作部は、前記操作領域における接触を検出し、該接触がなされた接触位置に関する位置情報を前記制御部へ出力する検出部を含んでもよい。前記制御部は、前記位置情報に応じて、前記少なくとも１つの主アイコンに対する操作がなされたか否かを判定してもよい。前記制御部が、前記少なくとも１つの主アイコンに対する操作がなされたと判定するならば、前記表示部は、前記第１操作画像から前記第２操作画像へ前記画像を切り替えてもよい。
【００１５】
上記構成によれば、制御部が、検出部から出力された位置情報に応じて、主アイコンに対する操作がなされたと判定すると、表示部は、画像を、第１操作画像から第２操作画像へ切り替えるので、表示部は、使用者の接触操作に応じて、画像を適切に切り替えることができる。
【００１６】
上記構成において、前記表示部は、光を出射する光源と、前記光を変調し、前記画像を表示するための映像光を作り出す液晶パネルと、を含んでもよい。前記検出部は、前記映像光の透過を許容してもよい。
【００１７】
上記構成によれば、検出部は、液晶パネルから出射される映像光の透過を許容するので、検出部は、液晶パネルに重畳されてもよい。したがって、液晶パネルは、操作領域に画像を適切に表示することができる。
【００１８】
上記構成において、前記第２操作画像を表示する前記表示部は、前記複数の副アイコンが前記第２方向に整列した帯画像を前記第２表示領域内で描いてもよい。
【００１９】
上記構成によれば、第２表示領域も第２方向において、第１表示領域よりも長いので、表示部は、帯画像を第２表示領域内で適切に描くことができる。この結果、第２表示領域内において、複数の副アイコンが第２方向に整列するので、使用者は、主アイコンに関連づけられた複数の副アイコンを容易に視認することができる。したがって、衣類処理装置は、多数の設定項目を適切に表示し、使用者に、衣類の処理に関する設定を促すことができる。
【００２０】
上記構成において、前記少なくとも１つの主アイコンは、前記衣類の汚れの因子に応じた洗浄動作を前記処理機構に実行させるための因子設定アイコンを含んでもよい。前記複数の副アイコンは、前記衣類の汚れの因子を表す複数の因子アイコンを含んでもよい。前記因子設定アイコンに対する操作がなされるならば、前記表示部は、その後、前記複数の因子アイコンが前記第２方向に整列した前記帯画像を前記第２表示領域内で描いてもよい。
【００２１】
上記構成によれば、使用者は、因子設定アイコンを操作し、表示部に複数の因子アイコンを帯画像として表示させることができる。衣類処理装置は、複数の汚れ因子を適切に表示し、使用者に、衣類の汚れの因子の特定を促すことができる。
【００２２】
上記構成によれば、前記位置情報が前記第２表示領域における前記第２方向への前記接触位置の変位を表すならば、前記表示部は、前記接触位置の変位方向へ前記帯画像をスクロールさせ、前記第２表示領域に表示される前記複数の因子アイコンの組み合わせを変更してもよい。
【００２３】
上記構成によれば、位置情報が第２表示領域における第２方向への接触位置の変位を表すならば、表示部は、接触位置の変位方向へ帯画像をスクロールさせるので、使用者は、操作部を直感的に操作することができる。複数の因子アイコンの組み合わせは、帯画像のスクロールに応じて変更されるので、表示部は、第２表示領域に多数の因子アイコンを表示することができる。したがって、衣類処理装置は、多数の汚れ因子を適切に表示し、使用者に、衣類の汚れの因子の特定を促すことができる。
【００２４】
上記構成において、前記制御部は、前記複数の因子アイコンに関するアイコンデータを格納する記憶部と、該記憶部から前記アイコンデータを読み出し、前記帯画像に関する帯画像データを生成する画像生成部と、を含んでもよい。該画像生成部は、前記接触位置の前記変位に応じて生成された前記帯画像データを前記表示部へ出力してもよい。
【００２５】
上記構成によれば、画像生成部は、記憶部からアイコンデータを読み出し、帯画像に関する帯画像データを生成するので、表示部は、第２表示領域に多数の因子アイコンを表示することができる。したがって、衣類処理装置は、多数の汚れ因子を適切に表示し、使用者に、衣類の汚れの因子の特定を促すことができる。
【００２６】
上記構成において、前記第２表示領域は、前記帯画像がスクロールされるスクロール領域と、前記複数の因子アイコンから選択された少なくとも１つの因子アイコンが表示される選択表示領域と、を含んでもよい。
【００２７】
上記構成によれば、選択表示領域に、使用者が選択した因子アイコンが表示されるので、表示部は、使用者自身が実行した選択動作の結果を明確に表示することができる。
【００２８】
上記構成において、前記選択表示領域内に、前記１つの因子アイコン表示された場合、前記制御部は、前記少なくとも１つの因子アイコンに応じて、前記処理機構を制御してもよい。
【００２９】
上記構成によれば、使用者は、因子アイコンを選択することができる。したがって、処理機構は、選択された因子に対して適切な選択動作を実行することができる。
【００３０】
上記構成において、前記表示部は、前記スクロール領域から前記選択表示領域へドラッグされる前記少なくとも１つの因子アイコンを描いてもよい。
【００３１】
上記構成によれば、表示部は、ドラッグされる因子アイコンを表示するので、使用者は、操作部を直感的に操作することができる。
【００３２】
上記構成において、前記表示部は、前記選択表示領域内に、前記複数の因子アイコンから選択された２以上の因子アイコンがそれぞれ表示される複数の表示窓を描いてもよい。前記制御部は、前記複数の表示窓に描かれた前記２以上の因子アイコンに応じて、前記処理機構を制御してもよい。
【００３３】
上記構成によれば、使用者は、複数の因子アイコンを選択することができる。したがって、処理機構は、複数の因子に対して適切な選択動作を実行することができる。
【００３４】
上記構成において、前記処理機構は、前記衣類が収容される収容槽と、該収容槽へ給水する給水機構と、前記収容槽内の水温を調整する温調部と、を含んでもよい。前記少なくとも１つの主アイコンは、前記水温を設定するための水温設定アイコンを含んでもよい。前記複数の副アイコンは、前記水温の設定値を表す複数の水温アイコンを含んでもよい。前記水温設定アイコンに対する操作がなされるならば、前記表示部は、その後、前記複数の水温アイコンが前記第２方向に整列した前記帯画像を前記第２表示領域内で描いてもよい。前記複数の水温アイコンのうち１つの水温アイコンが選択されるならば、前記制御部は、前記１つの水温アイコンが表す前記設定値に応じて、前記温調部を制御してもよい。
【００３５】
上記構成によれば、使用者は、水温設定アイコンを操作し、表示部に複数の水温アイコンを帯画像として表示させることができる。したがって、表示部は、複数の水温設定値の中から１つの水温設定を選択することを使用者に促すことができる。制御部は、１つの水温アイコンが表す設定値に応じて、温調部を制御するので、衣類は、使用者によって洗濯された水温環境の下、適切に洗浄される。
【００３６】
上記構成において、前記少なくとも１つの主アイコンは、前記収容槽が収容する前記衣類の種類に関する情報を入力するための衣類設定アイコンを含んでもよい。前記複数の副アイコンは、前記衣類の前記種類を表す複数の衣類アイコンを含んでもよい。前記衣類設定アイコンに対する操作がなされるならば、前記表示部は、その後、前記複数の衣類アイコンが前記第２方向に整列した前記帯画像を前記第２表示領域内で描いてもよい。前記複数の衣類アイコンのうち１つの衣類アイコンが選択されるならば、前記制御部は、前記１つの衣類アイコンが表す前記衣類の前記種類に応じて、前記処理機構を制御してもよい。
【００３７】
上記構成によれば、使用者は、衣類設定アイコンを操作し、表示部に複数の衣類アイコンを帯画像として表示させることができる。したがって、表示部は、複数の種類の衣類の中から１つの種類の衣類を選択することを使用者に促すことができる。制御部は、１つの衣類アイコンが表す衣類種に応じて、処理機構を制御するので、処理機構は、選択された衣類種に適した洗浄動作を行うことができる。
【００３８】
上記構成において、前記制御部は、前記少なくとも１つの因子アイコンに応じて、前記温調部が、前記収容槽内の水を加熱する頻度を決定してもよい。
【００３９】
上記構成によれば、制御部は、使用者が選択した因子アイコンに応じて、温調部が、収容槽内の水を加熱する頻度を決定するので、温調部は、汚れの因子に適した水温調整を行うことができる。
【００４０】
上記構成において、前記制御部は、前記少なくとも１つの因子アイコンに応じて、前記１つの水温アイコンが表す前記設定値よりも高い水温を目標値とするか否かを決定してもよい。前記設定値よりも高い前記水温が、前記目標値として設定されるならば、前記温調部は、前記制御部の制御下で、前記目標値に向けて前記水温を調整してもよい。
【００４１】
上記構成によれば、制御部は、使用者が選択した因子アイコンに応じて、使用者が選択した水温アイコンが表す設定値よりも高い水温を目標値とするか否かを決定するので、温調部は、汚れの因子に適した水温調整を行うことができる。
【００４２】
上記構成において、前記制御部は、前記１つの水温アイコン及び前記１つの衣類アイコンの組み合わせに応じて、前記衣類を洗浄する洗浄期間を決定してもよい。
【００４３】
上記構成によれば、制御部は、使用者が選択した水温アイコン及び衣類アイコンの組み合わせに応じて、衣類を洗浄する洗浄時間を決定するので、処理機構は、洗濯対象の衣類種及び使用者が設定した洗浄環境の下、適切な洗浄期間において、衣類を洗浄することができる。
【００４４】
上記構成において、前記制御部は、前記少なくとも１つの因子アイコンに応じて、前記洗浄期間を延長するか否かを決定してもよい。
【００４５】
上記構成によれば、使用者が選択した因子アイコンに応じて、洗浄期間を延長するか否かを決定するので、汚れの因子に応じた適切な洗浄期間が設定される。
【００４６】
上記構成において、前記給水機構は、第１洗剤を収容する第１収容室と、前記第１洗剤とは異なる第２洗剤を収容する第２収容室と、を有する洗剤収容部と、該洗剤収容部へ向かう水の経路を開閉する給水弁と、前記水を前記第１収容室又は前記第２収容室へ選択的に案内する案内部と、を含んでもよい。前記洗浄期間において、前記第１洗剤と前記水との混合液が前記収容槽へ供給されてもよい。前記制御部は、前記１つの水温アイコン、前記１つの衣類アイコン及び前記少なくとも１つの因子アイコンの組み合わせに応じて、前記第２洗剤を用いて、前記衣類を洗浄するか否かを決定してもよい。前記第２洗剤を用いて、前記衣類が洗浄されることが決定されるならば、前記第１洗剤が前記水槽へ供給される前に、前記制御部は、前記案内部を制御し、前記水を前記第２収容室へ供給し、前記衣類を予備的に洗浄してもよい。
【００４７】
上記構成によれば、制御部は、使用者による水温アイコン、衣類アイコン及び因子アイコンの選択に応じて、第２洗剤を用いた衣類の洗浄をするか否かを決定することができる。したがって、処理機構は、洗濯対象の衣類種並びに使用者が設定した洗浄環境の下、衣類を適切に洗浄することができる。
【００４８】
上記構成において、前記収容槽は、鉛直線に交差する回転軸周りで回転する回転ドラムを含んでもよい。該回転ドラムは、回転方向を交互に切り換え、前記衣類を攪拌する第１動作と、前記衣類を上方へ変位させ、その後、落下させる第２動作と、前記衣類を前記回転軸周りで周回させる第３動作と、を前記制御部の制御下で実行してもよい。前記制御部は、前記１つの水温アイコン、前記１つの衣類アイコン及び前記少なくとも１つの因子アイコンの組み合わせに応じて、前記第１動作、前記第２動作及び前記第３動作の実行タイミングを決定してもよい。
【００４９】
上記構成によれば、制御部は、使用者による水温アイコン、衣類アイコン及び因子アイコンの選択に応じて、回転ドラム実行タイミングを適切に決定することができる。したがって、処理機構は、洗濯対象の衣類種並びに使用者が設定した洗浄環境の下、衣類を適切に洗浄することができる。
【００５０】
上記構成において、前記制御部は、前記１つの水温アイコン、前記１つの衣類アイコン及び前記少なくとも１つの因子アイコンの組み合わせに応じて、前記洗浄期間の開始前に前記衣類を前記収容槽内の前記水に所定期間浸ける浸洗動作を実行するか否かを決定してもよい。前記制御部が前記浸洗動作を実行することを決定するならば、前記回転ドラムは、前記浸洗動作が実行される間、前記洗浄期間よりも小さな攪拌を前記衣類に与えてもよい。
【００５１】
上記構成によれば、制御部は、使用者による水温アイコン、衣類アイコン及び因子アイコンの選択に応じて、浸洗動作を実行するか否かを決定することができる。したがって、処理機構は、洗濯対象の衣類種並びに使用者が設定した洗浄環境の下、衣類を適切に洗浄することができる。
【００５２】
上記構成において、前記処理機構は、前記収容槽内の水を循環させる循環部を備えてもよい。前記制御部は、前記１つの水温アイコン、前記１つの衣類アイコン及び前記少なくとも１つの因子アイコンの組み合わせに応じて、前記収容槽と前記循環部との間で循環される水量を決定してもよい。
【００５３】
上記構成によれば、制御部は、使用者による水温アイコン、衣類アイコン及び因子アイコンの選択に応じて、収容槽と循環部との間で循環される水量を決定することができる。したがって、処理機構は、洗濯対象の衣類種並びに使用者が設定した洗浄環境の下、衣類を適切に洗浄することができる。
【発明の効果】
【００５４】
本発明に係る衣類処理装置は、多数の設定項目を適切に表示し、使用者に、衣類の処理に関する設定を促すことができる。
【図面の簡単な説明】
【００５５】
【図１】衣類処理装置として例示される洗濯機の概略的なブロック図である。
【図２】図１に示される洗濯機の概略的な断面図である。
【図３】図１に示される洗濯機の給水機構の概略的なブロック図である。
【図４】図１に示される洗濯機の概略的な斜視図である。
【図５】図１に示される洗濯機の入力インターフェースの概略的な断面図である。
【図６】図５に示される入力インターフェースの透明電極板の概略図である。
【図７】図６に示される透明電極板からの出力信号を概念的に表すグラフである。
【図８Ａ】図４に示される洗濯機の操作領域に表示される例示的な画像である。
【図８Ｂ】図４に示される洗濯機の操作領域に表示される例示的な画像である。
【図９】図４に示される洗濯機の操作領域に表示される例示的な画像である。
【図１０】図４に示される洗濯機の操作領域に表示される例示的な画像である。
【図１１】図１に示される洗濯機の制御部の概略的なブロック図である。
【図１２】図１１に示される制御部の画像表示動作を表す概略的なフローチャートである。
【図１３】図１１に示される制御部の動作を表す概略的なフローチャートである。
【図１４】図４に示される洗濯機の操作領域に表示される例示的な画像である。
【図１５】図１に示される洗濯機の概略的なブロック図である。
【図１６】図１１に示される制御部の動作を表す概略的なフローチャートである。
【図１７】図４に示される洗濯機の操作領域に表示される例示的な画像である。
【図１８】図４に示される洗濯機の操作領域に表示される例示的な画像である。
【図１９】図４に示される洗濯機の操作領域に表示される例示的な画像である。
【図２０Ａ】図４に示される洗濯機の画像生成部が行う処理の概念図である。
【図２０Ｂ】図４に示される洗濯機の画像生成部が行う処理の概念図である。
【図２１Ａ】図１１に示される制御部の動作を表す概略的なフローチャートである。
【図２１Ｂ】図１１に示される制御部の動作を表す概略的なフローチャートである。
【図２２】図１１に示される制御部の動作を表す概略的なフローチャートである。
【図２３】図４に示される洗濯機の操作領域に表示される洗濯乾燥メニュー画像である。
【図２４】図４に示される洗濯機の操作領域に表示される例示的な画像である。
【図２５】図１１に示される制御部の動作を概略的に表すブロック図である。
【図２６Ａ】図４に示される洗濯機の操作領域に表示される例示的な画像である。
【図２６Ｂ】図４に示される洗濯機の操作領域に表示される例示的な画像である。
【図２６Ｃ】図４に示される洗濯機の操作領域に表示される例示的な画像である。
【図２６Ｄ】図４に示される洗濯機の操作領域に表示される例示的な画像である。
【図２６Ｅ】図４に示される洗濯機の操作領域に表示される例示的な画像である。
【図２７】汚れ因子の除去に貢献する洗浄パラメータを概略的に表すグラフである。
【図２８】図１１に示される制御部による制御を表す概略的なブロック図である。
【図２９】図１１に示される制御部の制御信号生成部の動作を表す概略的なフローチャートである。
【図３０】図１１に示される制御部の制御信号生成部の動作を表す概略的なフローチャートである。
【図３１】図１１に示される制御部の制御信号生成部の動作を表す概略的なフローチャートである。
【図３２】図１１に示される制御部の判定処理の概念図である。
【図３３】図１１に示される制御部の判定処理の概念図である。
【図３４】循環水量を決定するための手順を表す概略的なフローチャートである。
【図３５Ａ】図２に示される洗濯機の回転ドラムの概略図である。
【図３５Ｂ】図２に示される洗濯機の回転ドラムの概略図である。
【図３５Ｃ】図２に示される洗濯機の回転ドラムの概略図である。
【図３６】因子アイコンの設定の効果を例示する表である。
【発明を実施するための形態】
【００５６】
以下、図面を参照しつつ、衣類処理装置として例示される洗濯機が説明される。尚、以下の説明で用いられる「上」、「下」、「左」や「右」などの方向を表す用語は、単に、説明の明瞭化を目的とする。したがって、これらの用語は、衣類処理装置の原理を何ら限定するものではない。以下に開示される洗濯機は、衣類を洗濯する洗濯機能だけでなく、衣類を乾燥する乾燥機能を有する。代替的に、衣類処理装置は、乾燥機能を有さない洗濯機であってもよい。更に代替的に、衣類処理装置は、洗濯機能を有さない乾燥機であってもよい。衣類処理装置の原理は、衣類に所定の処理を行うための様々な装置に適用されてもよい。
【００５７】
＜洗濯機＞
図１は、洗濯機１００の概略的なブロック図である。図１を参照して、洗濯機１００が説明される。尚、図１に示される実線矢印は、情報の伝達経路を概略的に表す。図１に示される点線は、水の流れを概略的に表す。図１に示される二点鎖線は、空気の流れを概略的に表す。
【００５８】
洗濯機１００は、衣類に対して所定の処理を行う処理機構２００と、処理機構２００が実行する処理に関する入力情報を受け付ける入力インターフェース４００と、入力情報に応じて、処理機構２００を制御する制御部６００と、を備える。処理機構２００は、衣類を収容する収容機構２１０と、収容機構２１０へ水を供給する給水機構２２０と、収容機構２１０へ供給された水を循環する循環機構２３０と、衣類を乾燥する乾燥空気を収容機構へ送り込む乾燥機構２４０と、を備える。
【００５９】
洗濯機１００は、衣類を洗浄する洗浄工程と、衣類を濯ぐ濯ぎ工程と、衣類を脱水する脱水工程と、衣類を乾燥する乾燥工程と、を実行することができる。洗浄工程において、給水機構２２０は、洗剤を含有する水（以下、洗濯水と称される）を収容機構２１０に供給する。収容機構２１０は、洗濯水の中で衣類を攪拌する。この結果、衣類に付着した汚れ成分が分離される。洗浄工程の間、循環機構２３０は、収容機構２１０内の水を循環してもよい。必要に応じて、循環機構２３０は、収容機構２１０内の水を排出してもよい。濯ぎ工程において、給水機構２２０は、収容機構２１０に柔軟剤を含む水及び水道水を供給してもよい。収容機構２１０は、柔軟剤を含む水及び水道水の中で衣類を攪拌してもよい。濯ぎ工程の間、循環機構２３０は、柔軟剤を含む水及び水道水の循環及び排水を繰り返してもよい。この結果、衣類から洗剤が適切に除去される。脱水工程において、収容機構２１０は、衣類から水を遠心分離するように回転動作をする。循環機構２３０は、衣類から分離された水を排水してもよい。乾燥工程において、乾燥機構２４０は、乾燥空気を収容機構２１０へ送り込む。収容機構２１０を通過した空気は、乾燥機構２４０に回収される。乾燥機構２４０は、収容機構２１０から回収した空気から乾燥空気を作り出す。乾燥機構２４０と収容機構２１０との間の空気の循環の間、収容機構２１０は衣類を攪拌する。この結果、衣類は、略一様に乾燥される。処理機構２００の機械的構造は、既知の洗濯機の構造と同様であってもよい。
【００６０】
図２は、洗濯機１００の概略的な断面図である。図１及び図２を参照して、洗濯機１００が更に説明される。
【００６１】
洗濯機１００は、処理機構２００を収容する筐体１１０と、筐体１１０に取り付けられた回動可能な扉体１２０と、を更に備える。筐体１１０は、扉体１２０が取り付けられる前壁１１１と、前壁１１１とは反対側の後壁１１２と、前壁１１１と後壁１１２との間で略水平に横たわる天壁１１３と、天壁１１３の下方で略水平に横たわる底壁１１４と、を含む。
【００６２】
収容機構２１０は、衣類が収容される収容槽２１１を備える。扉体１２０に向けて開口した収容槽２１１は、衣類を攪拌するように回転する回転ドラム２１２と、回転ドラム２１２を収容する水槽２１３と、を含む。収容機構２１０は、回転ドラム２１２を駆動する駆動部２１４を更に備える。駆動部２１４は、例えば、駆動力を生じさせるモータ並びに駆動力を回転ドラム２１２に伝達する無端ベルト、プーリ及びシャフトを用いて構築されてもよい。
【００６３】
図２には、鉛直線ＶＬと、鉛直線ＶＬに交差する回転軸ＲＸが示されている。回転軸ＲＸは、前壁１１１に向けて上方に傾斜している。図１を参照して説明された制御部６００は、駆動部２１４へ制御信号を出力し、回転ドラム２１２の回転動作を制御する。この結果、回転ドラム２１２は、回転軸ＲＸに回転する。回転ドラム２１２が回転している間、衣類は、回転ドラム２１２内で攪拌される。
【００６４】
図３は、給水機構２２０の概略的なブロック図である。図２及び図３を参照して、洗濯機１００が更に説明される。
【００６５】
図３に示される如く、給水機構２２０は、給水口２２１と、給水弁２２２と、切替機構２２３と、を備える。給水口２２１は、蛇口（図示せず）から延びるホースに接続される。したがって、給水口２２１は、図２を参照して説明された天壁１１３上に露出してもよい。給水弁２２２は、制御部６００の制御下で、給水口２２１と切替機構２２３との間の給水経路を開閉する。図２に示される如く、切替機構２２３は、収容槽２１１と天壁１１３との間に配置されてもよい。
【００６６】
図３に示される如く、切替機構２２３は、切替弁２２４と、洗剤収容箱２２５と、を備える。洗剤収容箱２２５は、洗剤が収容される第１室２２６と、第１室２２６に収容された洗剤とは異なる種類の洗剤が収容される第２室２２７と、柔軟剤が収容される第３室２２８と、を含む。制御部６００は、切替弁２２４を制御し、給水経路を、第１室２２６へ向かう経路と、第２室２２７へ向かう経路と、第３室２２８へ向かう経路との間で切り替える。この結果、給水弁２２２を通過した水は、切替弁２２４によって、第１室２２６、第２室２２７又は第３室２２８へ選択的に案内される。本実施形態において、洗剤収容箱２２５は、洗剤収容部として例示される。第１室２２６は、第１収容室として例示される。第１室２２６に収容される洗剤は、第１洗剤として例示される。第２室２２７は、第２収容室として例示される。第２室２２７に収容される洗剤は、第２洗剤として例示される。切替弁２２４は、案内部として例示される。
【００６７】
図２に示される如く、給水機構２２０は、切替機構２２３から水槽２１３へ延びる給水管２１９を更に備える。図３に示される如く、第１室２２６、第２室２２７又は第３室２２８を通過した水は、給水管２１９を通じて、水槽２１３へ流入する。
【００６８】
図２に示される如く、循環機構２３０は、循環ポンプ２３１と、排水弁２３２と、第１フィルタ装置２３３と、を備える。循環ポンプ２３１及び排水弁２３２は、制御部６００の制御下で動作する。循環機構２３０は、水槽２１３と第１フィルタ装置２３３との間で延びる循環管２３４と、第１フィルタ装置２３３から延び、且つ、循環ポンプ２３１の吸引口に接続される吸引管２３５と、循環ポンプ２３１の吐出口から水槽２１３に向けて延びる吐出管２３６と、排水弁２３２が取り付けられる排水管２３７と、を更に備える。
【００６９】
洗浄工程及び／又は濯ぎ工程の間、制御部６００は、排水弁２３２を閉じ、且つ、循環ポンプ２３１を作動させてもよい。このとき、水槽２１３内の水は、循環管２３４を通じて、第１フィルタ装置２３３へ向かう。第１フィルタ装置２３３は、流入した水から塵埃を除去する。第１フィルタ装置２３３を通過した水は、吸引管２３５を通じて、循環ポンプ２３１へ向かう。循環ポンプ２３１は、水を、吐出管２３６を通じて、収容槽２１１へ送り出す。水が収容槽２１１と循環ポンプ２３１との間で循環されている間、吐出管２３６から流出した水は、回転ドラム２１２内に収容された衣類に降り注がれる。洗浄工程において、水槽２１３と循環ポンプ２３１との間で循環される水は、衣類の洗浄に寄与することができる。本実施形態において、循環機構２３０は、循環部として例示される。
【００７０】
必要に応じて、制御部６００は、循環ポンプ２３１を停止させ、且つ、排水弁２３２を開いてもよい。循環機構２３０は、水槽２１３の下方で構築されるので、水槽２１３内の水は、重力によって、循環管２３４、第１フィルタ装置２３３及び排水管２３７を通じて排出される。
【００７１】
図２に示される如く、乾燥機構２４０は、第２フィルタ装置２４１と、ヒートポンプ装置２４２と、送風機２４３と、を備える。ヒートポンプ装置２４２及び送風機２４３は、制御部６００の制御下で動作する。乾燥機構２４０は、水槽２１３から送風機２４３へ向かって流れる空気の流動経路を規定する排気管２４４と、送風機２４３から水槽２１３へ向かって流れる空気の流動経路を規定する送気管２４５と、を更に備える。第２フィルタ装置２４１は、排気管２４４内に配置される。ヒートポンプ装置２４２は、送気管２４５内に配置される。送風機２４３は、天壁１１３に沿って延びる排気管２４４と後壁１１２に沿って延びる送気管２４５との間の屈曲部に配置される。
【００７２】
乾燥工程において、制御部６００が送風機２４３を作動させると、送風機２４３は、排気管２４４内に負圧環境を作り出す。この結果、収容槽２１１内の空気は、排気管２４４へ流入する。排気管２４４に流入した空気は、第２フィルタ装置２４１を通過する。このとき、第２フィルタ装置２４１は、空気中を浮遊する塵埃を除去する。その後、送風機２４３は、送気管２４５内のヒートポンプ装置２４２へ向けて、空気を送り出す。
【００７３】
ヒートポンプ装置２４２は、空気を冷却し、空気中の水分を除去する。この結果、空気は、乾燥する。その後、ヒートポンプ装置２４２は、乾燥した空気を加熱し、空気の飽和水蒸気量を増加させる。この結果、衣類の乾燥に適した乾燥空気が作り出される。乾燥空気は、その後、収容槽２１１内へ流入する。送風機２４３と収容槽２１１との間での空気の循環の間、回転ドラム２１２は回転し、衣類を攪拌する。したがって、収容槽２１１内へ流入した乾燥空気は、衣類に略一様に衝突することができる。この結果、衣類は、適切に乾燥される。
【００７４】
図４は、洗濯機１００の概略的な斜視図である。図１乃至図４を参照して、洗濯機１００が更に説明される。
【００７５】
図４に示される如く、前壁１１１は、扉体１２０が取り付けられる上板１１５と、上板１１５の下方に配置される下板１１６と、を含む。上板１１５には、略円形の扉体１２０と相補的な投入口１１７が形成される。図２に示される扉体１２０は、投入口１１７を閉塞する閉位置に存する。図４に示される扉体１２０は、投入口１１７を開放する開位置に存する。使用者は、扉体１２０を開位置へ回動させ、投入口１１７を通じて、衣類を回転ドラム２１２内へ投入することができる。その後、使用者は、扉体１２０を閉位置へ回動させ、衣類を収容槽２１１内に閉じ込めることができる。
【００７６】
図３を参照して説明された洗剤収容箱２２５は、投入口１１７の左上に露出する。使用者は、前壁１１１上に現れた洗剤収容箱２２５を引き出し、洗剤や柔軟剤を補充することができる。
【００７７】
下板１１６は、第１扉１１８を含む。使用者は、第１扉１１８を開き、図２を参照して説明された第１フィルタ装置２３３のフィルタを交換することができる。
【００７８】
天壁１１３は、第２扉１１９を含む。使用者は、第２扉１１９を開き、図２を参照して説明された第２フィルタ装置２４１のフィルタを交換することができる。
【００７９】
図１に示される如く、入力インターフェース４００は、タッチパネル４１０と、バックライト装置４２０と、を備える。タッチパネル４１０は、操作部４１１と、液晶パネル４１２と、を備える。バックライト装置４２０は、液晶パネル４１２に向けて光を照射する。本実施形態において、バックライト装置４２０は、光源として例示される。
【００８０】
図４に示される如く、入力インターフェース４００は、上板１１５と天壁１１３との間に配置される。操作部４１１は、略矩形の操作領域４１３を規定する。操作領域４１３は、略水平に延びる長辺４１４と、長辺４１４に対して略直角に延びる短辺４１５と、からなる輪郭を有する。本実施形態において、長辺４１４の延設方向は、第２方向として例示される。長辺４１４の長さは、第２寸法として例示される。短辺４１５の延設方向は、第１方向として例示される。短辺４１５の長さは、第１寸法として例示される。
【００８１】
操作領域４１３は、使用者が実行する入力操作に用いられる。例えば、使用者は、操作領域４１３を押圧し、様々な情報を入力することができる。使用者は、指先で、操作領域４１３をなぞり、操作領域４１３に表示される画像を変更することができる。以下の説明において、操作領域４１３を通じて使用者によって入力される情報は、「入力情報」と称される。
【００８２】
本実施形態において、入力インターフェース４００は、前壁１１１に沿って配置される。代替的に、入力インターフェースは、天壁に沿って配置されてもよい。
【００８３】
本実施形態において、長辺４１４は、略水平に延びる。代替的に、長辺が他の方向に延びるように、入力インターフェースが配置されてもよい。
【００８４】
図１に示される如く、操作部４１１は、入力情報に応じた信号を制御部６００に出力する。制御部６００は、操作部４１１からの信号に応じて、処理機構２００を制御するための制御信号を出力する。制御部６００は、液晶パネル４１２に、操作部４１１からの信号に応じた映像信号を出力する。液晶パネル４１２は、制御部６００からの映像信号に応じて駆動される。液晶パネル４１２は、制御部６００の制御下で、バックライト装置４２０からの光を変調し、画像を表示するための映像光を作り出す。操作部４１１は、液晶パネル４１２からの映像光を透過するので、使用者は、操作領域４１３上で、液晶パネル４１２によって描かれた映像を視認することができる。本実施形態において、液晶パネル４１２は、表示部として例示される。代替的に、表示部は、映像を光学的に表示することができる他の装置であってもよい。例えば、液晶パネル４１２に代えて、有機ＥＬ（エレクトロルミネセンス）素子を利用した表示装置が表示部として用いられてもよい。
【００８５】
＜入力インターフェース＞
図５は、入力インターフェース４００の概略的な断面図である。図１及び図５を参照して、入力インターフェース４００が説明される。
【００８６】
操作部４１１は、操作領域４１３を形成する透明板４１６と、透明板４１６と液晶パネル４１２との間に配置される透明電極板４１７と、透明電極板４１７と透明板４１６との間に配置される透明な両面テープ４１８と、を含む。透明板４１６及び透明電極板４１７は、両面テープ４１８によって一体化される。
【００８７】
透明板４１６、両面テープ４１８及び透明電極板４１７は、液晶パネル４１２が出射する映像光を透過させるので、使用者は、操作領域４１３上に現れる映像を視認することができる。使用者が操作領域４１３に接触すると、透明電極板４１７は、操作領域４１３上の接触位置を検出する。透明電極板４１７は、その後、制御部６００へ、接触位置に関する位置情報を出力する。本実施形態において、透明電極板４１７は、検出部として例示される。
【００８８】
操作部４１１は、透明電極板４１７に電気的に接続されたＩＣチップ４３１と、ＩＣチップ４３１に電気的に接続されたマイクロコンピュータ４３２と、を含む。ＩＣチップ４３１は、透明電極板４１７上の静電容量の変化を検出する。ＩＣチップ４３１は、静電容量の変化に関する情報をマイクロコンピュータ４３２へ出力する。マイクロコンピュータ４３２は、ＩＣチップ４３１からの出力情報を用いて、接触位置を演算する。マイクロコンピュータ４３２は、演算結果を位置情報として、制御部６００へ出力する。
【００８９】
図６は、透明電極板４１７の概略図である。図５及び図６を参照して、透明電極板４１７が説明される。
【００９０】
透明電極板４１７は、酸化インジウムスズが蒸着されたガラス基板４３３と、ガラス基板４３３上でＸ方向に延びる複数のＸ電極４３４と、ガラス基板４３３上で、Ｘ方向に対して直角のＹ方向に延びる複数のＹ電極４３５と、Ｘ電極４３４に電気的に接続される複数の第１透明電極４３６と、Ｙ電極４３５に電気的に接続される複数の第２透明電極４３７と、を含む。図６において、第１透明電極４３６には、ハッチングが付されている。Ｘ電極４３４、Ｙ電極４３５、第１透明電極４３６及び第２透明電極４３７は、ガラス基板４３３に対するエッチング処理によって形成されてもよい。
【００９１】
Ｘ電極４３４及びＹ電極４３５は、ＩＣチップ４３１に電気的に接続される。略菱形の第１透明電極４３６は、Ｘ電極４３４に沿って、Ｘ方向に整列される。略菱形の第２透明電極４３７は、Ｙ電極４３５に沿って、Ｙ方向に整列される。したがって、第１透明電極４３６及び第２透明電極４３７は、行列状に配列される。
【００９２】
互いに隣接する第１透明電極４３６及び第２透明電極４３７の間には静電容量成分が存在する。ＩＣチップ４３１は、Ｘ電極４３４に略一定周期で電圧を印加する。Ｘ電極４３４への電圧の印加に応じて、Ｙ電極４３５から電圧信号が出力される。ＩＣチップ４３１は、Ｙ電極４３５からの電圧信号を受け取る。
【００９３】
使用者が操作領域４１３に接触すると、使用者は、透明板４１６及び両面テープ４１８を介して、透明電極板４１７に電気的に接続される。この結果、接触位置に対応する第１透明電極４３６及び第２透明電極４３７を通じて出力される電圧信号が大きく変動する。したがって、操作部４１１は、接触位置を適切に検出することができる。
【００９４】
図７は、使用者が操作領域４１３を指で押圧したときにおける透明電極板４１７からの出力信号を概念的に表すグラフである。図４、図６及び図７を参照して、透明電極板４１７からの出力信号が説明される。
【００９５】
図７のグラフのＸ軸は、図４を参照して説明された長辺４１４の延設方向に対応する。図７のグラフのＺ軸は、図４を参照して説明された短辺４１５の延設方向に対応する。図７のグラフのＹ軸は、透明電極板４１７が出力する電圧のレベルを表す。
【００９６】
ＩＣチップ４３１は、閾値電圧ＶＴを予め記憶している。ＩＣチップ４３１は、閾値電圧ＶＴを用いて、使用者が操作領域４１３に接触したか否かを判断する。例えば、透明電極板４１７からの出力電圧のピークに対応するピーク電圧ＶＰが閾値電圧ＶＴより大きいならば、ＩＣチップ４３１は、使用者が操作領域４１３に接触したと判定してもよい。
【００９７】
ＩＣチップ４３１は、第１透明電極４３６及び第２透明電極４３７の位置と、操作領域４１３上の位置とを関連づける座標データを予め記憶していてもよい。ＩＣチップ４３１は、座標データを参照し、ピーク電圧ＶＰに対応する座標値を表す信号をマイクロコンピュータ４３２に出力してもよい。
【００９８】
マイクロコンピュータ４３２は、ＩＣチップ４３１からの出力信号を、制御部６００によって読取可能な信号に変換し、位置情報を生成してもよい。使用者が操作領域４１３上で指をスライドさせるならば、ピーク電圧ＶＰからの出力信号が表す座標値は、経時的且つ連続的に変動する。経時的且つ連続的な座標値の変動を検出したマイクロコンピュータは、接触位置の移動方向や移動速度といった付加情報を伴う位置情報を制御部６００に出力してもよい。
【００９９】
上述の操作部４１１の機械的及び電気的な構造は、例示的である。既知のタッチパネル装置に用いられる位置検出技術が、操作部に用いられてもよい。
【０１００】
本実施形態の原理は、物理的な接触位置を検出する技術に限定されるものではない。例えば、光学的な接触位置の検出に基づいて、操作領域に現れる画像が変更されてもよい。
【０１０１】
＜画像表示＞
図８Ａ及び図８Ｂは、操作領域４１３に表示される例示的な画像である。図１、図４、図８Ａ及び図８Ｂを参照して、操作領域４１３に表示される画像が説明される。
【０１０２】
使用者が、洗濯機１００のメインスイッチ（図示せず）をオンにすると、制御部６００は、液晶パネル４１２を制御し、図８Ａに示される立ち上げ画像を生成する。この結果、立ち上げ画像は、操作領域４１３に表示される。
【０１０３】
所定時間が経過した後、制御部６００は、液晶パネル４１２を制御し、図８Ｂに示されるメインメニュー画像を生成する。この結果、メインメニュー画像は、操作領域４１３に表示される。
【０１０４】
メインメニュー画像には、洗濯機１００に洗浄工程、濯ぎ工程及び脱水工程のみを実行させるための洗濯アイコンと、洗濯機１００に洗浄工程、濯ぎ工程及び脱水工程だけでなく、乾燥工程をも実行させるための洗濯乾燥アイコンと、洗濯機１００に乾燥工程のみを実行させるための乾燥アイコンと、が表示される。使用者は、洗濯アイコン、洗濯乾燥アイコン及び乾燥アイコンのうち１つを押圧する。この結果、操作部４１１は、押圧されたアイコンに対応する位置情報を制御部６００に出力する。
【０１０５】
図９は、使用者が洗濯乾燥アイコンを選択した後に操作領域４１３に表示される例示的な画像である。図１、図２、図４、図８Ｂ及び図９を参照して、操作領域４１３に表示される画像が説明される。
【０１０６】
使用者が、洗濯乾燥アイコンを押圧すると、操作部４１１は、操作領域４１３上の接触位置を表す位置情報を制御部６００へ出力する。制御部６００は、操作部４１１からの位置情報に基づき、使用者が洗濯乾燥アイコンを押圧したことを判定する。その後、操作部４１１は、液晶パネル４１２を制御し、洗濯乾燥アイコンに関連づけられた洗濯乾燥メニュー画像を表示する。
【０１０７】
図８Ｂを参照して説明されたメインメニュー画像において操作領域４１３の略中央に描かれた洗濯乾燥アイコンは、図９に示される洗濯乾燥メニュー画面において、操作領域４１３の左端に描かれている。使用者は、洗濯乾燥メニュー画像中の洗濯乾燥アイコンによって、使用者自身が洗濯機１００に洗濯乾燥を実行させることを指示したことを確認することができる。
【０１０８】
洗濯乾燥アイコンの右に、衣類設定アイコンが描かれる。衣類設定アイコンは、収容槽２１１が収容する衣類の種類を洗濯機１００に通知するために用いられる。
【０１０９】
衣類設定アイコンの右に、水温設定アイコンが描かれる。水温設定アイコンは、収容槽２１１内の水温を設定するために用いられる。
【０１１０】
水温設定アイコンの右に、脱水設定アイコンが描かれる。脱水設定アイコンは、脱水工程中の回転ドラム２１２の回転数を設定するために用いられる。
【０１１１】
脱水設定アイコンの右に、オプション設定アイコンが描かれる。オプション設定アイコンは、洗濯機１００の動作に関する様々な設定を行うために用いられる。
【０１１２】
オプション設定アイコンの右に、予約設定アイコンが描かれる。予約設定アイコンは、洗濯機１００が洗濯乾燥動作を開始する時刻を設定するために用いられる。
【０１１３】
予約設定アイコンの右の領域は、タイマ表示領域である。タイマ表示領域には、使用者が設定した運転条件の下で、洗浄工程、濯ぎ工程、脱水工程及び乾燥工程といった一連の工程に要する総時間を表示する。
【０１１４】
図９において、洗濯乾燥アイコンが表示される領域の水平方向の寸法は、記号「ＨＡＡ１」で表されている。衣類設定アイコンが表示される領域の水平方向の寸法は、記号「ＨＡＢ１」で表されている。水温設定アイコンが表示される領域の水平方向の寸法は、記号「ＨＡＣ１」で表されている。脱水設定アイコンが表示される領域の水平方向の寸法は、記号「ＨＡＤ１」で表されている。オプション設定アイコンが表示される領域の水平方向の寸法は、記号「ＨＡＥ１」で表されている。予約設定アイコンが表示される領域の水平方向の寸法は、記号「ＨＡＦ１」で表されている。タイマ表示領域が表示される領域の水平方向の寸法は、記号「ＨＡＧ１」で表されている。
【０１１５】
図１０は、使用者が衣類設定アイコンを選択した後に操作領域４１３に表示される例示的な画像である。図１、図４、図９及び図１０を参照して、操作領域４１３に表示される画像が説明される。
【０１１６】
使用者が、衣類設定アイコンを押圧すると、操作部４１１は、操作領域４１３上の接触位置を表す位置情報を制御部６００へ出力する。制御部６００は、操作部４１１からの位置情報に基づき、使用者が衣類設定アイコンを押圧したことを判定する。その後、操作部４１１は、液晶パネル４１２を制御し、衣類設定アイコンに関連づけられた衣類設定メニュー画像を表示する。この結果、操作領域４１３に表示される画像は、洗濯乾燥メニュー画像から衣類設定メニュー画像に切り替えられる。
【０１１７】
洗濯乾燥メニュー画像と同様に、洗濯乾燥アイコンは、操作領域４１３の左端に描かれる。洗濯乾燥メニュー画像と同様に、タイマ表示領域は、操作領域４１３の右端に描かれる。洗濯乾燥メニュー画像と同様に、予約設定アイコンは、タイマ表示領域の左に描かれる。洗濯乾燥メニュー画像と同様に、オプション設定アイコンは、予約設定アイコンの左に描かれる。洗濯乾燥メニュー画像と同様に、脱水設定アイコンは、オプション設定アイコンの左に描かれる。洗濯乾燥メニュー画像と同様に、水温設定アイコンは、脱水設定アイコンの左に描かれる。洗濯乾燥アイコンと水温設定アイコンとの間に設定領域が表示される。設定領域内には、様々な種類の衣類を表す複数の衣類アイコンが表示される。複数の衣類アイコンは、図９を参照して説明された衣類設定アイコンに関連づけられている。本実施形態において、衣類設定アイコンは主アイコンとして例示される。複数の衣類アイコンは、副アイコンとしてそれぞれ例示される。衣類設定アイコンが表示される領域（記号「ＨＡＢ１」で表された領域）は、第１表示領域として例示される。洗濯乾燥メニュー画像は、第１操作画像として例示される。
【０１１８】
図９において、洗濯乾燥アイコンが表示される領域の水平方向の寸法は、記号「ＨＡＡ２」で表されている。複数の衣類アイコンが表示される設定領域の水平方向の寸法は、記号「ＨＡＢ２」で表されている。水温設定アイコンが表示される領域の水平方向の寸法は、記号「ＨＡＣ２」で表されている。脱水設定アイコンが表示される領域の水平方向の寸法は、記号「ＨＡＤ２」で表されている。オプション設定アイコンが表示される領域の水平方向の寸法は、記号「ＨＡＥ２」で表されている。予約設定アイコンが表示される領域の水平方向の寸法は、記号「ＨＡＦ２」で表されている。タイマ表示領域が表示される領域の水平方向の寸法は、記号「ＨＡＧ２」で表されている。本実施形態において、複数の衣類アイコンが表示された設定領域（記号「ＨＡＢ２」で表された領域）は、第２表示領域として例示される。衣類設定メニュー画像は、第２操作画像として例示される。
【０１１９】
衣類設定メニュー画像中の洗濯乾燥アイコンが表示される領域の水平方向の寸法「ＨＡＡ２」は、洗濯乾燥メニュー画像中の洗濯乾燥アイコンが表示される領域の水平方向の寸法「ＨＡＡ１」よりも小さい。衣類設定メニュー画像中の水温設定アイコンが表示される領域の水平方向の寸法「ＨＡＣ２」は、洗濯乾燥メニュー画像中の水温設定アイコンが表示される領域の水平方向の寸法「ＨＡＣ１」よりも小さい。衣類設定メニュー画像中の脱水設定アイコンが表示される領域の水平方向の寸法「ＨＡＤ２」は、洗濯乾燥メニュー画像中の脱水設定アイコンが表示される領域の水平方向の寸法「ＨＡＤ１」よりも小さい。衣類設定メニュー画像中のオプション設定アイコンが表示される領域の水平方向の寸法「ＨＡＥ２」は、洗濯乾燥メニュー画像中のオプション設定アイコンが表示される領域の水平方向の寸法「ＨＡＥ１」よりも小さい。衣類設定メニュー画像中の予約設定アイコンが表示される領域の水平方向の寸法「ＨＡＦ２」は、洗濯乾燥メニュー画像中の予約設定アイコンが表示される領域の水平方向の寸法「ＨＡＦ１」よりも小さい。衣類設定メニュー画像中のタイマ表示領域の水平方向の寸法「ＨＡＧ２」は、洗濯乾燥メニュー画像中のタイマ表示領域の水平方向の寸法「ＨＡＧ１」よりも小さい。一方、衣類設定メニュー画像中の設定領域の水平方向の寸法「ＨＡＢ２」は、対応する衣類設定アイコンが表示される領域の水平方向の寸法「ＨＡＢ１」よりも大きい。衣類設定メニュー画像中の設定領域は、衣類設定アイコンが表示される領域から水平方向に延長される。したがって、衣類設定メニュー画像中の設定領域は、衣類設定アイコンが表示される領域よりも広くなる。
【０１２０】
液晶パネル４１２は、制御部６００の制御下で、水平方向に整列した複数の衣類アイコンが描かれた帯画像を形成する。したがって、水平方向に長い設定領域内において、複数の衣類アイコンが適切に表示される。
【０１２１】
図１１は、上述の画像表示に関連する機能構成を概略的に表す制御部６００のブロック図である。図８Ａ乃至図１１を参照して、制御部６００が説明される。
【０１２２】
制御部６００は、座標判定部６１０と、画像生成部６２０と、第１記憶部６３０と、第２記憶部６４０と、を含む。操作部４１１は、位置情報を座標判定部６１０に出力する。第１記憶部６３０は、液晶パネル４１２が表示する画像に対応する座標データを格納している。第１記憶部６３０は、図８Ｂを参照して説明された洗濯アイコン、洗濯乾燥アイコン及び乾燥アイコンの位置に関連づけられた座標データを格納してもよい。第１記憶部６３０は、図９を参照して説明された衣類設定アイコン、水温設定アイコン、脱水設定アイコン、オプション設定アイコン及び予約設定アイコンに関連づけられた座標データを格納してもよい。第１記憶部６３０は、図１０を参照して説明された設定領域内で表示される複数の衣類アイコンそれぞれに対応する座標データを格納してもよい。座標判定部６１０は、液晶パネル４１２が表示する画像に対応する座標データを読み出すことができる。
【０１２３】
座標判定部６１０は、第１記憶部６３０から読み出された座標データと、操作部４１１から出力された位置情報と、を比較し、使用者が選択したアイコンを判定する。その後、座標判定部６１０は、判定結果を画像生成部６２０に出力する。
【０１２４】
第２記憶部６４０は、図８Ａを参照して説明された立ち上げ画像、図８Ｂを参照して説明されたメインメニュー画像、図９を参照して説明された洗濯乾燥メニュー画像や図１０を参照して説明された衣類設定メニュー画像といった様々な画像を生成するための画像データを格納する。画像生成部６２０は、座標判定部６１０から出力された判定結果に応じて、第２記憶部６４０から画像データを読み出す。画像生成部６２０は、第２記憶部６４０から読み出された画像データに応じて、映像信号を生成する。映像信号は、画像生成部６２０から液晶パネル４１２へ出力される。液晶パネル４１２は、映像信号に応じて駆動され、画像を形成する。
【０１２５】
画像生成部６２０は、映像信号を出力するだけでなく、座標判定部６１０にトリガ信号を出力する。座標判定部６１０は、トリガ信号に応じて、第１記憶部６３０から座標データを読み出す。
【０１２６】
図１２は、制御部６００の画像表示動作を表す概略的なフローチャートである。図４、図８Ａ乃至図９、図１１及び図１２を参照して、制御部６００の動作が説明される。
【０１２７】
（ステップＳ１０５）
ステップＳ１０５において、使用者は、洗濯機１００のメインスイッチをオンにする。この結果、画像生成部６２０は、第２記憶部６４０が格納する立ち上げ画像のデータを読み出し、映像信号を生成する。映像信号は、画像生成部６２０から液晶パネル４１２へ出力される。この結果、操作領域４１３に立ち上げ画像が表示される。その後、ステップＳ１１０が実行される。
【０１２８】
（ステップＳ１１０）
ステップＳ１１０において、画像生成部６２０は、洗濯機１００の他の要素のセットアップが完了するまで、立ち上げ画像に対応する映像信号を液晶パネル４１２に出力し続ける。画像生成部６２０が、所定期間、映像信号を出力し続けた後、ステップＳ１１５が実行される。
【０１２９】
（ステップＳ１１５）
ステップＳ１１５において、画像生成部６２０は、第２記憶部６４０が格納するメインメニュー画像のデータを読み出し、映像信号を生成する。映像信号は、画像生成部６２０から液晶パネル４１２へ出力される。この結果、操作領域４１３にメインメニュー画像が表示される。その後、ステップＳ１２０が実行される。
【０１３０】
（ステップＳ１２０）
ステップＳ１２０において、画像生成部６２０は、トリガ信号を座標判定部６１０に出力する。その後、ステップＳ１２５が実行される。
【０１３１】
（ステップＳ１２５）
ステップＳ１２５において、座標判定部６１０は、トリガ信号に応じて、メインメニュー画像に関連づけられた座標データを第１記憶部６３０から読み出す。この結果、座標判定部６１０は、洗濯アイコンに関連づけられた座標データ、洗濯乾燥アイコンに関連づけられた座標データ及び乾燥アイコンに関連づけられた座標データを保持する。その後、ステップＳ１３０が実行される。
【０１３２】
（ステップＳ１３０）
ステップＳ１３０において、座標判定部６１０は、使用者が操作領域４１３上で操作したか否かを判定する。使用者が、洗濯アイコン、洗濯乾燥アイコン及び乾燥アイコンのうち１つを押圧するならば、ステップＳ１３５が実行される。他の場合には、座標判定部６１０は、使用者からの操作を待つ。
【０１３３】
（ステップＳ１３５）
ステップＳ１３５において、座標判定部６１０は、使用者の操作に対応した位置情報と、第１記憶部６３０から読み出された座標データと、を比較する。位置情報が、洗濯アイコンに関連づけられた座標データに一致するならば、ステップＳ１４０が実行される。位置情報が、乾燥アイコンに関連づけられた座標データに一致するならば、ステップＳ１５０が実行される。位置情報が、洗濯乾燥アイコンに関連づけられた座標データに一致するならば、ステップＳ１６０が実行される。
【０１３４】
（ステップＳ１４０）
ステップＳ１４０において、座標判定部６１０は、位置情報が洗濯アイコンを指し示していることを表す判定結果を画像生成部６２０に出力する。その後、ステップＳ１４５が実行される。
【０１３５】
（ステップＳ１４５）
ステップＳ１４５において、画像生成部６２０は、第２記憶部６４０に格納された洗濯メニュー画像（図示せず）を読み出し、洗濯メニュー画像を表示するための映像信号を液晶パネル４１２へ出力する。この結果、洗濯メニュー画像は、操作領域４１３へ映し出される。使用者は、操作領域４１３上に映し出された洗濯メニュー画像に応じて、必要な操作を実行することができる。液晶パネル４１２への映像信号の出力の後、ステップＳ１７０が実行される。
【０１３６】
（ステップＳ１５０）
ステップＳ１５０において、座標判定部６１０は、位置情報が乾燥アイコンを指し示していることを表す判定結果を画像生成部６２０に出力する。その後、ステップＳ１５５が実行される。
【０１３７】
（ステップＳ１５５）
ステップＳ１５５において、画像生成部６２０は、第２記憶部６４０に格納された乾燥メニュー画像（図示せず）を読み出し、乾燥メニュー画像を表示するための映像信号を液晶パネル４１２へ出力する。この結果、乾燥メニュー画像は、操作領域４１３へ映し出される。使用者は、操作領域４１３上に映し出された乾燥メニュー画像に応じて、必要な操作を実行することができる。液晶パネル４１２への映像信号の出力の後、ステップＳ１７０が実行される。
【０１３８】
（ステップＳ１６０）
ステップＳ１６０において、座標判定部６１０は、位置情報が洗濯乾燥アイコンを指し示していることを表す判定結果を画像生成部６２０に出力する。その後、ステップＳ１６５が実行される。
【０１３９】
（ステップＳ１６５）
ステップＳ１６５において、画像生成部６２０は、第２記憶部６４０に格納された洗濯乾燥メニュー画像を読み出し、洗濯乾燥メニュー画像を表示するための映像信号を液晶パネル４１２へ出力する。この結果、洗濯乾燥メニュー画像は、操作領域４１３へ映し出される。使用者は、操作領域４１３上に映し出された洗濯乾燥メニュー画像に応じて、必要な操作を実行することができる。液晶パネル４１２への映像信号の出力の後、ステップＳ１７０が実行される。
【０１４０】
（ステップＳ１７０）
ステップＳ１７０において、画像生成部６２０は、トリガ信号を座標判定部６１０に出力する。その後、ステップＳ１７５が実行される。
【０１４１】
（ステップＳ１７５）
ステップＳ１７５において、座標判定部６１０は、第１記憶部６３０から座標データを読み出す。ステップＳ１３５において、位置情報が洗濯アイコンを指し示しているとの判定結果が得られているならば、座標判定部６１０は、洗濯メニュー画像に対応した座標データを読み出す。位置情報が乾燥アイコンを指し示しているとの判定結果が得られているならば、座標判定部６１０は、乾燥メニュー画像に対応した座標データを読み出す。位置情報が洗濯乾燥アイコンを指し示しているとの判定結果が得られているならば、座標判定部６１０は、洗濯乾燥メニュー画像に対応した座標データを読み出す。
【０１４２】
図１３は、操作領域４１３に洗濯乾燥メニュー画像が表示されているときの制御部６００の動作を表す概略的なフローチャートである。図１、図７、図９、図１０、図１２及び図１３を用いて、制御部６００の動作が説明される。
【０１４３】
（ステップＳ２１０）
ステップＳ２１０において、座標判定部６１０は、使用者が操作領域４１３上で操作したか否かを判定する。尚、座標判定部６１０は、ステップＳ２１０の前に実行されたステップＳ１７５において、衣類設定アイコン、水温設定アイコン、脱水設定アイコン、オプション設定アイコン及び予約設定アイコンに関連づけられた座標データを保持している。使用者が、衣類設定アイコン、水温設定アイコン、脱水設定アイコン、オプション設定アイコン及び予約設定アイコンのうち１つを押圧するならば、ステップＳ２２０が実行される。他の場合には、座標判定部６１０は、使用者からの操作を待つ。
【０１４４】
（ステップＳ２２０）
ステップＳ２２０において、使用者の操作に対応した位置情報と、第１記憶部６３０から読み出された座標データと、を比較する。位置情報が、衣類設定アイコンに関連づけられた座標データに一致するならば、ステップＳ２３０が実行される。他の場合には、ステップＳ２９０が実行される。
【０１４５】
（ステップＳ２３０）
ステップＳ２３０において、座標判定部６１０は、位置情報が衣類設定アイコンを指し示していることを表す判定結果を画像生成部６２０に出力する。その後、ステップＳ２４０が実行される。
【０１４６】
（ステップＳ２４０）
ステップＳ２４０において、画像生成部６２０は、第２記憶部６４０に格納された衣類設定メニュー画像を読み出し、衣類設定メニュー画像を表示するための映像信号を液晶パネル４１２へ出力する。尚、画像生成部６２０は、複数の衣類アイコンが水平方向に整列した帯画像のデータを生成並びに保持してもよい。この結果、衣類設定メニュー画像は、操作領域４１３へ映し出される。液晶パネル４１２への映像信号の出力の後、ステップＳ２５０が実行される。
【０１４７】
（ステップＳ２５０）
ステップＳ２５０において、画像生成部６２０は、トリガ信号を座標判定部６１０に出力する。その後、ステップＳ２６０が実行される。
【０１４８】
（ステップＳ２６０）
ステップＳ２６０において、座標判定部６１０は、使用者が操作領域４１３上で操作したか否かを判定する。座標判定部６１０が操作領域４１３上での操作が行われたことを判定するならば、ステップＳ２７０が実行される。他の場合には、座標判定部６１０は、使用者からの操作を待つ。
【０１４９】
（ステップＳ２７０）
ステップＳ２７０において、座標判定部６１０は、位置情報が変動しているか否かを判定する。例えば、使用者が操作領域４１３上で指を水平にスライドさせるならば、図７を参照して説明されたピーク電圧ＶＰのＸ座標の値は変動する。座標判定部６１０が、位置情報が変動していると判定するならば、ステップＳ２８０が実行される。他の場合には、制御部６００は、位置情報に対応する衣類アイコンが選択されたことを表すデータを保持する。制御部６００が保持したデータは、その後、処理機構２００に対する制御に用いられる。
【０１５０】
（ステップＳ２８０）
ステップＳ２８０において、座標判定部６１０は、スクロール表示の指示を画像生成部６２０へ出力する。画像生成部６２０は、ステップＳ２４０において生成された帯画像のデータを用いて、帯画像を水平にスクロールさせるための映像信号を液晶パネル４１２へ出力する。その後、ステップＳ２５０が実行される。
【０１５１】
（ステップＳ２９０）
ステップＳ２９０において、座標判定部６１０は、位置情報が衣類設定アイコン以外のアイコンを指し示していることを表す判定結果を画像生成部６２０に出力する。その後、ステップＳ３００が実行される。
【０１５２】
（ステップＳ３００）
ステップＳ３００において、制御部６００は、他の表示処理を実行する。
【０１５３】
図１４は、使用者が水温設定アイコンを選択した後に操作領域４１３に表示される例示的な画像である。図９及び図１４を参照して、操作領域４１３に表示される画像が説明される。
【０１５４】
使用者が、水温設定アイコンを押圧すると、操作部４１１は、操作領域４１３上の接触位置を表す位置情報を制御部６００へ出力する。制御部６００は、操作部４１１からの位置情報に基づき、使用者が水温設定アイコンを押圧したことを判定する。その後、操作部４１１は、液晶パネル４１２を制御し、水温設定アイコンに関連づけられた水温設定メニュー画像を表示する。この結果、操作領域４１３に表示される画像は、洗濯乾燥メニュー画像から水温設定メニュー画像に切り替えられる。
【０１５５】
洗濯乾燥メニュー画像と同様に、洗濯乾燥アイコンは、操作領域４１３の左端に描かれる。洗濯乾燥メニュー画像と同様に、衣類設定アイコンは、洗濯乾燥アイコンの右に描かれる。洗濯乾燥メニュー画像と同様に、タイマ表示領域は、操作領域４１３の右端に描かれる。洗濯乾燥メニュー画像と同様に、予約設定アイコンは、タイマ表示領域の左に描かれる。洗濯乾燥メニュー画像と同様に、オプション設定アイコンは、予約設定アイコンの左に描かれる。洗濯乾燥メニュー画像と同様に、脱水設定アイコンは、オプション設定アイコンの左に描かれる。衣類設定アイコンと脱水設定アイコンとの間に設定領域が表示される。設定領域内には、様々な水温を表す複数の水温アイコンが表示される。複数の水温アイコンは、図９を参照して説明された水温設定アイコンに関連づけられている。本実施形態において、水温設定アイコンは主アイコンとして例示される。複数の水温アイコンは、副アイコンとしてそれぞれ例示される。水温設定アイコンが表示される領域（記号「ＨＡＣ１」で表された領域）は、第１表示領域として例示される。洗濯乾燥メニュー画像は、第１操作画像として例示される。
【０１５６】
図１４において、洗濯乾燥アイコンが表示される領域の水平方向の寸法は、記号「ＨＢＡ２」で表されている。衣類設定アイコンが表示される領域の水平方向の寸法は、記号「ＨＢＢ２」で表されている。複数の水温アイコンが表示される設定領域の水平方向の寸法は、記号「ＨＢＣ２」で表されている。脱水設定アイコンが表示される領域の水平方向の寸法は、記号「ＨＢＤ２」で表されている。オプション設定アイコンが表示される領域の水平方向の寸法は、記号「ＨＢＥ２」で表されている。予約設定アイコンが表示される領域の水平方向の寸法は、記号「ＨＢＦ２」で表されている。タイマ表示領域が表示される領域の水平方向の寸法は、記号「ＨＢＧ２」で表されている。本実施形態において、複数の水温アイコンが表示された設定領域（記号「ＨＢＣ２」で表された領域）は、第２表示領域として例示される。水温設定メニュー画像は、第２操作画像として例示される。
【０１５７】
水温設定メニュー画像中の洗濯乾燥アイコンが表示される領域の水平方向の寸法「ＨＢＡ２」は、洗濯乾燥メニュー画像中の洗濯乾燥アイコンが表示される領域の水平方向の寸法「ＨＡＡ１」よりも小さい。水温設定メニュー画像中の衣類設定アイコンが表示される領域の水平方向の寸法「ＨＢＢ２」は、洗濯乾燥メニュー画像中の衣類設定アイコンが表示される領域の水平方向の寸法「ＨＡＢ１」よりも小さい。水温設定メニュー画像中の脱水設定アイコンが表示される領域の水平方向の寸法「ＨＢＤ２」は、洗濯乾燥メニュー画像中の脱水設定アイコンが表示される領域の水平方向の寸法「ＨＡＤ１」よりも小さい。水温設定メニュー画像中のオプション設定アイコンが表示される領域の水平方向の寸法「ＨＢＥ２」は、洗濯乾燥メニュー画像中のオプション設定アイコンが表示される領域の水平方向の寸法「ＨＡＥ１」よりも小さい。水温設定メニュー画像中の予約設定アイコンが表示される領域の水平方向の寸法「ＨＢＦ２」は、洗濯乾燥メニュー画像中の予約設定アイコンが表示される領域の水平方向の寸法「ＨＡＦ１」よりも小さい。水温設定メニュー画像中のタイマ表示領域の水平方向の寸法「ＨＢＧ２」は、洗濯乾燥メニュー画像中のタイマ表示領域の水平方向の寸法「ＨＡＧ１」よりも小さい。一方、水温設定メニュー画像中の設定領域の水平方向の寸法「ＨＢＣ２」は、対応する水温設定アイコンが表示される領域の水平方向の寸法「ＨＡＣ１」よりも大きい。水温設定メニュー画像中の設定領域は、水温設定アイコンが表示される領域から水平方向に延長される。したがって、水温設定メニュー画像中の設定領域は、水温設定アイコンが表示される領域よりも広くなる。
【０１５８】
液晶パネル４１２は、制御部６００の制御下で、水平方向に整列した複数の水温アイコンが描かれた帯画像を形成する。したがって、水平方向に長い設定領域内において、複数の水温アイコンが適切に表示される。
【０１５９】
図１５は、洗濯機１００の概略的なブロック図である。図１１、図１３及び図１５を参照して、使用者の設定に基づく、動作制御が説明される。
【０１６０】
制御部６００は、表示制御部６０５と、動作制御部６５０と、を含む。表示制御部６０５は、図１１を参照して説明された座標判定部６１０、画像生成部６２０、第１記憶部６３０及び第２記憶部６４０を含む。動作制御部６５０は、設定記憶部６６０と、制御信号生成部６７０と、を含む。
【０１６１】
座標判定部６１０は、操作部４１１に対する使用者の操作によって決定された入力情報（図１３を参照して説明されたフローチャートに従って決定された衣類に関する情報、水温設定アイコンの操作によって定められた水温や脱水設定アイコンの操作によって定められた脱水設定に関する情報）を設定記憶部６６０へ出力する。設定記憶部６６０は、入力情報を記憶する。制御信号生成部６７０は、設定記憶部６６０に格納された入力情報を読み出し、制御信号を生成する。制御信号は、制御信号生成部６７０から収容機構２１０、給水機構２２０や循環機構２３０へ送られる。
【０１６２】
収容槽２１１は、給水機構２２０から送られた水を加熱するためのヒータ２１５及び収容槽２１１内の水温を測定する温度センサ２１６を備える。温度センサ２１６は、収容槽２１１内の水温を表す検出信号を制御信号生成部６７０に出力する。制御信号生成部６７０は、使用者が、図１４に示される水温設定メニュー画像から選択した水温アイコンが表す設定値並びに温度センサ２１６からの検出信号に応じて、制御信号を生成する。制御信号は、制御信号生成部６７０からヒータ２１５へ出力される。ヒータ２１５は、制御信号生成部６７０からの制御信号に応じて、収容槽２１１内の水温を調整する。本実施形態において、ヒータ２１５及び温度センサ２１６は、温調部として例示される。
【０１６３】
図１６は、図１３を参照して説明されたステップＳ２２０において、座標判定部６１０が、位置情報が水温設定アイコンに対して定められた座標データに一致すると判定した後の制御部６００の動作を表す概略的なフローチャートである。図７、図１３、図１５及び図１６を用いて、制御部６００の動作が説明される。
【０１６４】
（ステップＳ３１０）
ステップＳ３１０において、座標判定部６１０は、位置情報が水温設定アイコンを指し示していることを表す判定結果を画像生成部６２０に出力する。その後、ステップＳ３２０が実行される。
【０１６５】
（ステップＳ３２０）
ステップＳ３２０において、画像生成部６２０は、第２記憶部６４０に格納された水温設定メニュー画像を読み出し、水温設定メニュー画像を表示するための映像信号を液晶パネル４１２へ出力する。尚、画像生成部６２０は、複数の水温アイコンが水平方向に整列した帯画像のデータを生成並びに保持してもよい。この結果、水温設定メニュー画像は、操作領域４１３へ映し出される。液晶パネル４１２への映像信号の出力の後、ステップＳ３３０が実行される。
【０１６６】
（ステップＳ３３０）
ステップＳ３３０において、画像生成部６２０は、トリガ信号を座標判定部６１０に出力する。その後、ステップＳ３４０が実行される。
【０１６７】
（ステップＳ３４０）
ステップＳ３４０において、座標判定部６１０は、使用者が操作領域４１３上で操作したか否かを判定する。座標判定部６１０が操作領域４１３上での操作が行われたことを判定するならば、ステップＳ３５０が実行される。他の場合には、座標判定部６１０は、使用者からの操作を待つ。
【０１６８】
（ステップＳ３５０）
ステップＳ３５０において、座標判定部６１０は、位置情報が変動しているか否かを判定する。例えば、使用者が操作領域４１３上で指を水平にスライドさせるならば、図７を参照して説明されたピーク電圧ＶＰのＸ座標の値は変動する。座標判定部６１０が、位置情報が変動していると判定するならば、ステップＳ３６０が実行される。他の場合には、衣類アイコンを用いた設定と同様に、座標判定部６１０は、位置情報に対応する水温アイコンが選択されたことを表すデータを設定記憶部６６０へ出力する。制御信号生成部６７０は、その後、設定記憶部６６０が格納するデータを用いて、ヒータ２１５に対する制御信号を生成並びに出力する。
【０１６９】
（ステップＳ３６０）
ステップＳ３６０において、座標判定部６１０は、スクロール表示の指示を画像生成部６２０へ出力する。画像生成部６２０は、ステップＳ３２０において生成された帯画像のデータを用いて、帯画像を水平にスクロールさせるための映像信号を液晶パネル４１２へ出力する。その後、ステップＳ３３０が実行される。
【０１７０】
図１７は、使用者がオプション設定アイコンを選択した後に操作領域４１３に表示される例示的な画像である。図１、図４、図９及び図１７を参照して、操作領域４１３に表示される画像が説明される。
【０１７１】
使用者が、オプション設定アイコンを押圧すると、操作部４１１は、操作領域４１３上の接触位置を表す位置情報を制御部６００へ出力する。制御部６００は、操作部４１１からの位置情報に基づき、使用者がオプション設定アイコンを押圧したことを判定する。その後、操作部４１１は、液晶パネル４１２を制御し、オプション設定アイコンに関連づけられたオプション設定メニュー画像を表示する。この結果、操作領域４１３に表示される画像は、洗濯乾燥メニュー画像からオプション設定メニュー画像に切り替えられる。
【０１７２】
洗濯乾燥メニュー画像と同様に、洗濯乾燥アイコンは、操作領域４１３の左端に描かれる。洗濯乾燥メニュー画像と同様に、衣類設定アイコンは、洗濯乾燥アイコンの右に描かれる。洗濯乾燥メニュー画像と同様に、水温設定アイコンは、衣類設定アイコンの右に描かれる。洗濯乾燥メニュー画像と同様に、脱水設定アイコンは、水温設定アイコンの右に描かれる。洗濯乾燥メニュー画像と同様に、タイマ表示領域は、操作領域４１３の右端に描かれる。洗濯乾燥メニュー画像と同様に、予約設定アイコンは、タイマ表示領域の左に描かれる。脱水設定アイコンと予約設定アイコンとの間に設定領域が表示される。設定領域内には、６つのオプションアイコン（第１オプションアイコン乃至第６オプションアイコン）が表示される。
【０１７３】
設定領域において、最も左に描かれる第１オプションアイコンは、予備的な洗浄の選択に用いられる。使用者が第１オプションアイコンを押圧するならば、制御部６００は、切替弁２２４を制御し、予備的な洗浄に用いられる洗剤を収容する第２室２２７への給水経路を開く。その後、制御部６００は、給水機構２２０を制御し、予備的な洗浄を実行する。
【０１７４】
第１オプションアイコンの右に描かれる第２オプションアイコンは、濯ぎ時間の延長に用いられる。使用者が第２オプションアイコンを押圧するならば、制御部６００は、収容機構２１０、給水機構２２０及び循環機構２３０を制御し、比較的長い期間、衣類が濯がれることとなる。
【０１７５】
第２オプションアイコンの右に描かれる第３オプションアイコンは、衣類の皺の軽減のために用いられる。例えば、使用者が第３オプションアイコンを押圧するならば、制御部６００は、収容機構２１０を制御し、脱水期間を短縮する。
【０１７６】
第３オプションアイコンの右に描かれる第４オプションアイコンは、衣類に付着した汚れの因子を洗濯機１００に通知するために用いられる。第４オプションアイコンに関連する制御は、後述される。
【０１７７】
第４オプションアイコンの右に描かれる第５オプションアイコンは、洗浄工程及び濯ぎ工程の短縮に用いられる。使用者が第５オプションアイコンを押圧するならば、制御部６００は、収容機構２１０、給水機構２２０及び循環機構２３０を制御し、比較的短い時間で衣類を洗濯する。
【０１７８】
第５オプションアイコンの右に描かれる第６オプションアイコンは、消費電力を低減するために用いられる。例えば、使用者が第６オプションアイコンを押圧するならば、制御部６００は、水槽２１３内の液体の濁度に応じた動作を収容機構２１０に与え、消費電力を低減してもよい。
【０１７９】
図１８は、使用者が第４オプションアイコンを押圧した後に、操作領域４１３に表示される例示的な画像である。図１、図１５、図１７及び図１８を参照して、操作領域４１３に表示される画像が説明される。
【０１８０】
図１７を参照して説明された如く、使用者は、衣類の汚れの因子に応じた洗浄動作を処理機構２００に実行させるために、第４オプションアイコンを操作してもよい。使用者が第４オプションアイコンを押圧すると、オプション設定メニュー画像において、第１オプションアイコン乃至第６オプションアイコンを表示するために割り当てられた設定領域内に複数の因子アイコン及び使用者の選択を決定する決定アイコンが表示される。複数の因子アイコンは、互いに異なる汚れ因子を表す。本実施形態において、第４オプションアイコンは、主アイコン及び／又は因子設定アイコンとして例示される。第４オプションアイコンが表示されるオプション設定メニュー画像中の領域は、第１表示領域として例示される。オプション設定メニュー画像は、第１操作画像として例示される。
【０１８１】
第２記憶部６４０は、汚れ因子を表す写真データを保存してもよい。例えば、第２記憶部６４０は、トマトの汁に関する汚れを表すために、トマトの写真データを記憶してもよい。第２記憶部６４０は、タマゴの黄身に関する汚れを表すために、目玉焼きの写真データを記憶してもよい。第２記憶部６４０は、コーヒに関連する汚れを表すために、コーヒが入れられたカップの写真データを記憶してもよい。このように、第２記憶部６４０が、汚れ因子をそれぞれ直感的に想起させる写真データを記憶することによって、使用者は、因子アイコンを直感的に選択することができる。本実施形態において、写真データは、アイコンデータとして例示される。第２記憶部６４０は、記憶部として例示される。
【０１８２】
使用者が第４オプションアイコンを押圧すると、画像生成部６２０は、第２記憶部６４０に記憶された写真データを読み出し、因子アイコンが水平に整列した帯画像を表す画像データを作り出す。帯画像を表す画像データに対応する映像信号は、その後、画像生成部６２０から液晶パネル４１２へ出力される。この結果、因子アイコンの帯画像は、設定領域内に表示される。本実施形態において、因子アイコンの帯画像が表示される設定領域は、第２表示領域として例示される。帯画像を表す画像データは、帯画像データとして例示される。図１８に示される汚れ因子設定メニュー画像は、第２操作画像として例示される。
【０１８３】
使用者は、操作領域４１３上に表示される複数の因子アイコンからなる帯画像を水平になぞり、帯画像を水平にスクロールさせることができる。したがって、操作領域４１３上に様々な種類の因子アイコンが生じされる。図１８において５つの因子アイコンが表示された領域は、スクロール領域として例示される。
【０１８４】
設定領域において因子アイコンの帯画像の上には、３つの表示窓が示される。本実施形態において、３つの表示窓が示される領域は、選択表示領域として例示される。本実施形態において、３つの表示窓を用いて、因子アイコンが設定される。代替的に、３未満の表示窓が因子アイコンの設定に用いられてもよい。或いは、４以上の表示窓が因子アイコンの設定に用いられてもよい。
【０１８５】
図１９は、使用者が３つの因子アイコンを選択した後に、操作領域４１３に表示される例示的な画像である。図１５、図１８及び図１９を参照して、操作領域４１３に表示される画像が説明される。
【０１８６】
使用者は、設定領域に表示された複数の因子アイコンから１つを選択することができる。選択された因子アイコンを表示窓へドラッグすると、表示窓に選択された因子アイコンが表示される。この結果、使用者は、因子アイコンの選択が完了したことを確認することができる。使用者が、因子アイコンの選択及びドラッグを３回繰り返すならば、図１９に示される如く、３つの表示窓は、３つの因子アイコンによって占められることとなる。
【０１８７】
使用者が因子アイコンをドラッグしている間、画像生成部６２０は、選択された因子アイコンの写真データを第２記憶部６４０から読み出し、表示窓に向けてドラッグされる因子アイコンを表示するための映像信号を生成してもよい。因子アイコンのドラッグ操作の間、映像信号は、画像生成部６２０から液晶パネル４１２に出力される。この結果、操作領域４１３には、表示窓に向かってドラッグされる因子アイコンが描かれることとなる。
【０１８８】
図２０Ａは、使用者が因子アイコンの帯画像を右方へスクロールしている間の画像生成部６２０が行う処理の概念図である。図２０Ｂは、使用者が因子アイコンの帯画像を左方へスクロールしている間の画像生成部６２０が行う処理の概念図である。図１５、図１８、図２０Ａ及び図２０Ｂを用いて、画像生成部６２０の処理が説明される。
【０１８９】
上述の如く、画像生成部６２０は、第２記憶部６４０から汚れ因子を表す写真データを読み出し、帯画像データを生成する。画像生成部６２０は、帯画像データのうち設定領域に表示される表示データ部分を設定し、表示データ部分に対応する映像信号を液晶パネル４１２へ出力する。この結果、表示データ部分に対応する帯画像が設定領域に表示される。
【０１９０】
使用者が、帯画像を右方へスクロールするならば、図２０Ａに示される如く、画像生成部６２０は、表示データ部分を順次左方へスライドさせる。この結果、操作領域４１３上において帯画像は右方へ移動したように知覚される。使用者が、帯画像を左方へスクロールするならば、図２０Ｂに示される如く、画像生成部６２０は、表示データ部分を順次右方へスライドさせる。この結果、操作領域４１３上において帯画像は左方へ移動したように知覚される。したがって、使用者のスクロール操作に応じて表示される因子アイコンの組み合わせが変更される。
【０１９１】
図２１Ａ及び図２１Ｂは、図１３を参照して説明されたステップＳ２２０において、座標判定部６１０が、位置情報がオプション設定アイコンに対して定められた座標データに一致すると判定した後の制御部６００の動作を表す概略的なフローチャートである。図１３、図１５、図１７乃至図１９、図２１Ａ及び図２１Ｂを用いて、制御部６００の動作が説明される。
【０１９２】
（ステップＳ４０５）
ステップＳ４０５において、座標判定部６１０は、位置情報がオプション設定アイコンを指し示していることを表す判定結果を画像生成部６２０に出力する。その後、ステップＳ４１０が実行される。
【０１９３】
（ステップＳ４１０）
ステップＳ４１０において、画像生成部６２０は、第２記憶部６４０に格納されたオプション設定メニュー画像を読み出し、オプション設定メニュー画像を表示するための映像信号を液晶パネル４１２へ出力する。液晶パネル４１２への映像信号の出力の後、ステップＳ４１５が実行される。
【０１９４】
（ステップＳ４１５）
ステップＳ４１５において、画像生成部６２０は、トリガ信号を座標判定部６１０に出力する。座標判定部６１０は、トリガ信号に応じて、第１記憶部６３０から第１オプションアイコン乃至第６オプションアイコンに対応する座標データを読み出す。その後、ステップＳ４２０が実行される。
【０１９５】
（ステップＳ４２０）
ステップＳ４２０において、座標判定部６１０は、使用者が図１７を参照して説明された設定領域上で操作したか否かを判定する。座標判定部６１０が設定領域上での操作が行われたことを判定するならば、ステップＳ４２５が実行される。他の場合には、座標判定部６１０は、使用者からの操作を待つ。
【０１９６】
（ステップＳ４２５）
ステップＳ４２５において、座標判定部６１０は、使用者の操作によってもたらされた位置情報が第１オプションアイコンに対応する座標データに一致するか否かを判定する。位置情報が座標データに一致するならば、ステップＳ４３０が実行される。他の場合には、ステップＳ４３５が実行される。
【０１９７】
（ステップＳ４３０）
ステップＳ４３０において、画像生成部６２０は、第２記憶部６４０から、予備洗浄工程を設定するためのメニュー画像（図示せず）に関するデータを読み出し、映像信号を生成する。映像信号は、その後、画像生成部６２０から液晶パネル４１２へ出力される。
【０１９８】
（ステップＳ４３５）
ステップＳ４３５において、座標判定部６１０は、使用者の操作によってもたらされた位置情報が第２オプションアイコンに対応する座標データに一致するか否かを判定する。位置情報が座標データに一致するならば、ステップＳ４４０が実行される。他の場合には、ステップＳ４４５が実行される。
【０１９９】
（ステップＳ４４０）
ステップＳ４４０において、画像生成部６２０は、第２記憶部６４０から、濯ぎ時間の延長のためのメニュー画像（図示せず）に関するデータを読み出し、映像信号を生成する。映像信号は、その後、画像生成部６２０から液晶パネル４１２へ出力される。
【０２００】
（ステップＳ４４５）
ステップＳ４４５において、座標判定部６１０は、使用者の操作によってもたらされた位置情報が第３オプションアイコンに対応する座標データに一致するか否かを判定する。位置情報が座標データに一致するならば、ステップＳ４５０が実行される。他の場合には、ステップＳ４５５が実行される。
【０２０１】
（ステップＳ４５０）
ステップＳ４５０において、画像生成部６２０は、第２記憶部６４０から、皺を軽減するための設定メニュー画像（図示せず）に関するデータを読み出し、映像信号を生成する。映像信号は、その後、画像生成部６２０から液晶パネル４１２へ出力される。
【０２０２】
（ステップＳ４５５）
ステップＳ４５５において、座標判定部６１０は、使用者の操作によってもたらされた位置情報が第４オプションアイコンに対応する座標データに一致するか否かを判定する。位置情報が座標データに一致するならば、ステップＳ４６０が実行される。他の場合には、ステップＳ４６５が実行される。
【０２０３】
（ステップＳ４６０）
ステップＳ４６０において、画像生成部６２０は、第２記憶部６４０から、汚れ因子を設定するためのメニュー画像（図１８及び図１９参照）に関するデータを読み出し、映像信号を生成する。映像信号は、その後、画像生成部６２０から液晶パネル４１２へ出力される。
【０２０４】
（ステップＳ４６５）
ステップＳ４６５において、座標判定部６１０は、使用者の操作によってもたらされた位置情報が第５オプションアイコンに対応する座標データに一致するか否かを判定する。位置情報が座標データに一致するならば、ステップＳ４７０が実行される。他の場合には、ステップＳ４７５が実行される。
【０２０５】
（ステップＳ４７０）
ステップＳ４７０において、画像生成部６２０は、第２記憶部６４０から、洗濯時間を短縮するための設定メニュー画像（図示せず）に関するデータを読み出し、映像信号を生成する。映像信号は、その後、画像生成部６２０から液晶パネル４１２へ出力される。
【０２０６】
（ステップＳ４７５）
ステップＳ４７５において、画像生成部６２０は、第２記憶部６４０から、消費電力を低減するための設定メニュー画像（図示せず）に関するデータを読み出し、映像信号を生成する。映像信号は、その後、画像生成部６２０から液晶パネル４１２へ出力される。
【０２０７】
図２２は、図１８を参照して説明された汚れ因子設定メニューが表示された後の制御部６００の動作を表す概略的なフローチャートである。図１５、図１８、図２０Ａ乃至図２２を用いて、制御部６００の動作が説明される。
【０２０８】
（ステップＳ５０５）
ステップＳ５０５において、座標判定部６１０は、カウント値を「０」に設定する。その後、ステップＳ５１０が実行される。
【０２０９】
（ステップＳ５１０）
ステップＳ５１０において、座標判定部６１０は、使用者が図１８を参照して説明された決定アイコン又は帯画像に対する操作したか否かを判定する。座標判定部６１０が決定アイコン又は帯画像に対する操作が行われたことを判定するならば、ステップＳ５１５が実行される。他の場合には、座標判定部６１０は、使用者からの操作を待つ。
【０２１０】
（ステップＳ５１５）
図２１Ａ及び図２１Ｂを参照して説明されたステップＳ４７０において、画像生成部６２０は、座標判定部６１０へトリガ信号を出力する。座標判定部６１０は、トリガ信号に応じて、決定アイコン及び各因子アイコンに対応する座標データを第１記憶部６３０から読み出す。したがって、ステップＳ５１５において、座標判定部６１０は、位置情報と決定アイコンに対応する座標データとを比較することができる。位置情報が決定アイコンに対応する座標データに一致するならば、汚れ因子の設定処理は完了する。他の場合には、ステップＳ５２０が実行される。
【０２１１】
（ステップＳ５２０）
ステップＳ５２０において、座標判定部６１０は、位置情報の座標値の上方への変動速度が水平方向の変動速度よりも大きいか否かを判定する。位置情報の座標値の上方への変動速度が水平方向の変動速度よりも大きいならば、ステップＳ５２５が実行される。他の場合には、ステップＳ５５０が実行される。
【０２１２】
（ステップＳ５２５）
ステップＳ５２５において、座標判定部６１０は、ドラッグされる因子アイコンを表示することを画像生成部６２０に指示する。画像生成部６２０は、座標判定部６１０からの指示に応じて、ドラッグされる因子アイコンを表示するための映像信号を液晶パネル４１２へ出力する。その後、ステップＳ５３０が実行される。
【０２１３】
（ステップＳ５３０）
図２１Ａ及び図２１Ｂを参照して説明されたステップＳ４７０において画像生成部６２０から出力されたトリガ信号に応じて、座標判定部６１０は、表示窓に対応する座標データを第１記憶部６３０から読み出す。したがって、ステップＳ５３０において、座標判定部６１０は、位置情報と表示窓に対応する座標データとを比較することができる。位置情報が表示窓に対応する座標データに一致するならば、ステップＳ５３０が実行される。他の場合には、ステップＳ５２５が実行される。
【０２１４】
（ステップＳ５３５）
ステップＳ５３５において、座標判定部６１０は、画像生成部６２０に、表示窓中に選択された因子アイコンを表示することを指示する。画像生成部６２０は、座標判定部６１０からの指示に応じて、選択された因子アイコンを表示窓中に表示するための映像信号を、液晶パネル４１２へ出力する。画像生成部６２０は、映像信号の出力に同期して、トリガ信号を座標判定部６１０へ出力する。その後、ステップＳ５４０が実行される。
【０２１５】
（ステップＳ５４０）
ステップＳ５４０において、座標判定部６１０は、トリガ信号に応じて、カウント値を「１」だけ増加させる。その後、ステップＳ５４５が実行される。
【０２１６】
（ステップＳ５４５）
ステップＳ５４５において、座標判定部６１０は、カウント値が「３」に等しいか否かを判定する。カウント値が「３」に等しいならば（即ち、全ての表示窓が因子アイコンで占められるならば）、汚れ因子の設定処理は完了する。他の場合にはステップＳ５１０が実行される。
【０２１７】
（ステップＳ５５０）
ステップＳ５５０において、画像生成部６２０は、図２０Ａ及び図２０Ｂを参照して説明されたように、表示データ部分をスライドする。この結果、表示データ部分が再設定される。再設定された表示部分は、因子アイコンの他の組み合わせを表す。その後、ステップＳ５５５が実行される。
【０２１８】
（ステップＳ５５５）
ステップＳ５５５において、画像生成部６２０は、再設定された表示部分に対応する映像信号を液晶パネル４１２へ出力する。また、画像生成部６２０は、座標判定部６１０へトリガ信号を出力する。その後、ステップＳ５６０が実行される。
【０２１９】
（ステップＳ５６０）
ステップＳ５６０において、座標判定部６１０は、位置情報の座標値の上方への変動速度が水平方向の変動速度以下であるか否かを判定する。位置情報の座標値の上方への変動速度が水平方向の変動速度以下であるならば、ステップＳ５６５が実行される。他の場合には、ステップＳ５２５が実行される。
【０２２０】
（ステップＳ５６５）
ステップＳ５６５において、座標判定部６１０は、位置情報の座標値の変動が停止したか否かを判定する。位置情報の座標値の変動が停止しているならば、ステップＳ５１０が実行される。他の場合には、ステップＳ５５０が実行される。
【０２２１】
図２３は、使用者が様々な設定を完了した後の洗濯乾燥メニュー画像を表す。図２及び図２３を参照して、洗濯乾燥メニュー画像を表示する操作領域４１３に対する操作が説明される。
【０２２２】
図２３に示される洗濯乾燥メニューは、使用者が、衣類の種類としてコットンを選択したことを表している。洗濯乾燥メニューは、使用者が、水温を「４０℃」に設定したことを表している。洗濯乾燥メニューは、使用者が、脱水工程中の回転ドラム２１２の回転数を「１０００ｒｐｍ」に設定したことを表している。洗濯乾燥メニューは、使用者が、オプション設定メニュー画像を用いて、汚れ因子を設定したことを表している。洗濯乾燥メニューは、使用者が、皺を低減させるための処理の実行を洗濯機１００に設定したことを表している。洗濯乾燥メニューは、使用者が、予約設定をしなかったことを表している。使用者は、洗濯乾燥アイコンを押圧し、上述の設定条件下において、洗濯機１００に運転を実行させることができる。
【０２２３】
図２４は、洗濯乾燥アイコンが押圧された後に、操作領域４１３に表示される例示的な画像である。図１２、図１３、図１５及び図２４を参照して、洗濯乾燥アイコンが押圧された後の洗濯機１００の動作が説明される。
【０２２４】
図１２を参照して説明されたステップＳ１７５において、座標判定部６１０は、第１記憶部６３０から洗濯乾燥アイコンに対応する座標データを第１記憶部６３０から読み出す。したがって、座標判定部６１０は、図１３を参照して説明されたステップＳ２２０において、使用者が洗濯乾燥アイコンを操作したか否かを判定することができる。使用者が洗濯乾燥アイコンを押圧するならば、座標判定部６１０は、画像生成部６２０へ、図２４に示される画像データを読み出すことを指示する。画像生成部６２０は、座標判定部６１０からの指示に応じて、画像データを第２記憶部６４０から読み出し、映像信号を生成する。映像信号は、画像生成部６２０から液晶パネル４１２へ出力される。この結果、操作領域４１３には、図２４に示される画像が表示される。
【０２２５】
図２５は、図２４に示される画像が表示されている間の制御部６００の動作を概略的に表すブロック図である。図２、図２４及び図２５を用いて、制御部６００の動作が説明される。
【０２２６】
図２に示される如く、収容機構２１０は、収容槽２１１を弾性的に支持するダンパ２１７を備える。ダンパ２１７は、シリンダ２１８と、収容槽２１１内に収容された衣類及び水の重量に応じてシリンダ２１８に没入するように形成されたロッド２９８と、を備える。
【０２２７】
図２５に示される如く、収容機構２１０は、シリンダ２１８へのロッド２９８の没入量に応じた検出信号を制御信号生成部６７０へ出力する重量センサ２９９を備える。図２４に示される画像が操作領域４１３に表示されている間、制御信号生成部６７０は、重量センサ２９９からの検出信号を用いて、収容槽２１１に収容された衣類の重量を評価する。例えば、制御信号生成部６７０は、衣類の重量に応じて、給水機構２２０から収容槽２１１へ供給される水量を決定してもよい。
【０２２８】
図２６Ａ乃至図２６Ｅは、収容機構２１０が動作を開始した後に、操作領域４１３に表示される例示的な画像を示す。図１５、図２５乃至図２６Ｅを参照して、操作領域４１３に表示される画像が説明される。
【０２２９】
制御信号生成部６７０は、収容槽２１１に収容された衣類の重量を評価した後、画像生成部６２０に、図２６Ａに示される画像を生成することを要求する。画像生成部６２０は、制御信号生成部６７０からの要求に応じて、第２記憶部６４０から、図２６Ａに示される画像のデータを読み出し、映像信号を生成する。映像信号は、画像生成部６２０から液晶パネル４１２へ出力される。図２６Ａに示される画像は、洗浄工程の間、操作領域４１３に表示され続ける。
【０２３０】
操作領域４１３に、図２６Ａに示される画像が表示されている間、制御信号生成部６７０は、収容機構２１０、給水機構２２０及び循環機構２３０を制御し、洗浄工程を洗濯機１００に実行させる。
【０２３１】
制御信号生成部６７０は、洗浄工程の後、画像生成部６２０に、図２６Ｂに示される画像を生成することを要求する。画像生成部６２０は、制御信号生成部６７０からの要求に応じて、第２記憶部６４０から、図２６Ｂに示される画像のデータを読み出し、映像信号を生成する。映像信号は、画像生成部６２０から液晶パネル４１２へ出力される。図２６Ｂに示される画像は、濯ぎ工程の間、操作領域４１３に表示され続ける。
【０２３２】
操作領域４１３に、図２６Ｂに示される画像が表示されている間、制御信号生成部６７０は、収容機構２１０、給水機構２２０及び循環機構２３０を制御し、濯ぎ工程を洗濯機１００に実行させる。
【０２３３】
制御信号生成部６７０は、濯ぎ工程の後、画像生成部６２０に、図２６Ｃに示される画像を生成することを要求する。画像生成部６２０は、制御信号生成部６７０からの要求に応じて、第２記憶部６４０から、図２６Ｃに示される画像のデータを読み出し、映像信号を生成する。映像信号は、画像生成部６２０から液晶パネル４１２へ出力される。図２６Ｃに示される画像は、脱水工程の間、操作領域４１３に表示され続ける。
【０２３４】
操作領域４１３に、図２６Ｃに示される画像が表示されている間、制御信号生成部６７０は、収容機構２１０及び循環機構２３０を制御し、脱水工程を洗濯機１００に実行させる。
【０２３５】
制御信号生成部６７０は、脱水工程の後、画像生成部６２０に、図２６Ｄに示される画像を生成することを要求する。画像生成部６２０は、制御信号生成部６７０からの要求に応じて、第２記憶部６４０から、図２６Ｄに示される画像のデータを読み出し、映像信号を生成する。映像信号は、画像生成部６２０から液晶パネル４１２へ出力される。図２６Ｄに示される画像は、乾燥工程の間、操作領域４１３に表示され続ける。
【０２３６】
操作領域４１３に、図２６Ｄに示される画像が表示されている間、制御信号生成部６７０は、収容機構２１０及び乾燥機構２４０を制御し、乾燥工程を洗濯機１００に実行させる。
【０２３７】
制御信号生成部６７０は、乾燥工程の後、画像生成部６２０に、図２６Ｅに示される画像を生成することを要求する。画像生成部６２０は、制御信号生成部６７０からの要求に応じて、第２記憶部６４０から、図２６Ｅに示される画像のデータを読み出し、映像信号を生成する。映像信号は、画像生成部６２０から液晶パネル４１２へ出力される。この結果、使用者は、衣類に対する全ての処理が完了したことを認識することができる。
【０２３８】
図２６Ａ乃至図２６Ｄに示される如く、タイマ表示領域に示される時間データは、衣類に対する処理が進むにつれて、減少している。画像生成部６２０は、図２６Ａに示される画像の表示の開始からの経過時間に応じて、時間データを減少させてもよい。この結果、使用者は、衣類の処理の完了までの期間を知ることができる。
【０２３９】
＜因子アイコンに関連する制御＞
図２７は、汚れ因子の除去に貢献する洗浄パラメータを概略的に表すグラフである。図１４、図１５、図１８及び図２７を参照して、洗浄パラメータと汚れ因子との関係が説明される。
【０２４０】
図２７には、洗浄パラメータとして、温度、洗剤及び機械力が示されている。また、図２７において、多種の汚れ因子が５つのカテゴリーに分類されている。
【０２４１】
図２７において、第１群の汚れ因子として、コーヒ、茶、ソース、カレー、デザート、ケチャップ、ビール、血液、ココア、チョコレート、コーラ、ココア、ワイン、果物、ジュース、野菜、トマト、雑草が例示される。第１群の汚れ因子の除去には、洗剤及び／又は温度が寄与する。
【０２４２】
図２７において、第２群の汚れ因子として、タマゴ、離乳食、牛乳及び襟首汚れが例示される。第２群の汚れ因子の除去には、洗剤及び／又は機械力が寄与する。
【０２４３】
図２７において、第３群の汚れ因子として、インク、化粧品、汗、口紅、皮脂、臭い成分、靴下汚れ及びカーボンブラックが例示される。第３群の汚れ因子の除去には、温度及び／又は機械力が寄与する。
【０２４４】
図２７において、第４群の汚れ因子として、泥、土砂、泥炭及び庭園土壌が例示される。第４群の汚れ因子の除去には、機械力が主に寄与する。
【０２４５】
図２７において、第５群の汚れ因子として、オイル、ラード、バター及びオリーブオイルが例示される。第５群の汚れ因子の除去には、機械力及び／又は温度が主に寄与する。
【０２４６】
図１８を参照して説明された複数の因子アイコンは、第１群から第５群に含まれる汚れ因子を表してもよい。因子アイコンを用いた上述の設定は、洗濯機１００の洗浄動作に主に寄与する。動作制御部６５０は、因子アイコンの設定に応じて、洗濯機１００の洗浄動作を決定してもよい。図１８を参照して説明された如く、使用者は、１若しくはそれ以上の因子アイコンを表示窓に設定することができる。したがって、動作制御部６５０は、１若しくはそれ以上の因子アイコンの設定に応じて、収容機構２１０、給水機構２２０及び循環機構２３０の動作を決定することができる。
【０２４７】
（温度調整の頻度に対する制御）
図２８は、図１４を参照して説明された水温アイコンの設定に応じた制御を概略的に表す制御部６００のブロック図である。図１４、図２７及び図２８を参照して、水温制御が説明される。
【０２４８】
図２７において洗浄パラメータとして示される温度は、ヒータ２１５、温度センサ２１６及び制御信号生成部６７０の間の温度制御によって調整される。図１４を参照して説明された如く、使用者は、タッチパネル４１０上で水温アイコンを選択する。水温アイコンに関連して定められた水温の設定値「Ｔｓ」は、表示制御部６０５を通じて、設定記憶部６６０へ出力される。制御信号生成部６７０は、設定記憶部６６０から水温の設定値「Ｔｓ」を読み出す。
【０２４９】
温度センサ２１６は、収容槽２１１内で測定された水温「Ｔｍ」を表す検出信号を制御信号生成部６７０へ出力する。制御信号生成部６７０は、設定記憶部６６０から読み出された水温の設定値「Ｔｓ」を目標温度「Ｔｔ」と定め、且つ、目標温度「Ｔｔ」からの温度差に対して、閾値温度差「ΔＴｔｈ」を設定する。測定された水温「Ｔｍ」が目標温度「Ｔｔ」を大幅に下回り、目標温度「Ｔｔ」と測定された水温「Ｔｍ」の差分値が閾値温度差「ΔＴｔｈ」を超えるならば、制御信号生成部６７０は、収容槽２１１内の水を加熱するための制御信号をヒータ２１５へ出力する。
【０２５０】
制御信号生成部６７０が、タッチパネル４１０上で選択された因子アイコンに応じて、閾値温度差「ΔＴｔｈ」を変更するならば、ヒータ２１５への制御信号の出力頻度が調整される。制御信号生成部６７０がヒータ２１５を加熱するための制御信号を頻繁に出力するならば、経時的な温度の降下は小さくなる。この場合、第１群、第３群及び／又は第５群に含まれる汚れ因子は、衣類から効果的に除去される。
【０２５１】
図２９は、因子アイコンの選択に応じて、収容槽２１１内の水に対する加熱頻度を変更する制御を行う制御信号生成部６７０の動作を表す概略的なフローチャートである。図１８、図１９、図２７乃至図２９を用いて、制御信号生成部６７０の動作が説明される。
【０２５２】
（ステップＳ６０５）
ステップＳ６０５において、制御信号生成部６７０は、設定記憶部６６０に記憶された水温の設定値「Ｔｓ」を読み出す。その後、ステップＳ６１０が実行される。
【０２５３】
（ステップＳ６１０）
ステップＳ６１０において、制御信号生成部６７０は、設定記憶部６６０から読み出された設定値「Ｔｓ」を目標温度「Ｔｔ」に設定する。その後、ステップＳ６１５が実行される。
【０２５４】
（ステップＳ６１５）
ステップＳ６１５において、制御信号生成部６７０は、閾値温度差「ΔＴｔｈ」を設定する。その後、ステップＳ６２０が実行される。
【０２５５】
（ステップＳ６２０）
図１８及び図１９を参照して説明されたタッチパネル４１０上での因子アイコンの選択結果（因子アイコンの設定データ）は、表示制御部６０５を通じて、設定記憶部６６０に出力される。制御信号生成部６７０は、因子アイコンの設定データを設定記憶部６６０から読み出す。その後、ステップＳ６２５が実行される。
【０２５６】
（ステップＳ６２５）
ステップＳ６２５において、制御信号生成部６７０は、因子アイコンの設定データが、高い水温下で効果的に除去される汚れ因子か否かを判定する。例えば、因子アイコンの設定データが、第１群に含まれるコーヒ、茶、ソース、第３群に含まれるインク、化粧品、皮脂や第５群に含まれるオイル、ラード、バターといった汚れ因子を含んでいるならば、制御信号生成部６７０は、因子アイコンの設定データが、高い水温下で効果的に除去される汚れ因子であると判断してもよい。制御信号生成部６７０は、因子アイコンの設定データが、高い水温下で効果的に除去される汚れ因子であると判定するならば、ステップＳ６３０が実行される。他の場合には、ステップＳ６４０が実行される。
【０２５７】
（ステップＳ６３０）
ステップＳ６３０において、制御信号生成部６７０は、閾値温度差「ΔＴｔｈ」に対する補正値「αｔ（＞０）」を設定する。その後、ステップＳ６３５が実行される。
【０２５８】
（ステップＳ６３５）
ステップＳ６３５において、制御信号生成部６７０は、ステップＳ６３０において設定された補正値「αｔ」を用いて、閾値温度差「ΔＴｔｈ」を補正する。この結果、ステップＳ６３５において再設定される閾値温度差「ΔＴｔｈ」は、ステップＳ６１５において設定された閾値温度差「ΔＴｔｈ」よりも補正値「αｔ」だけ小さくなる。
【０２５９】
（ステップＳ６４０）
ステップＳ６４０において、制御信号生成部６７０は、温度センサ２１６からの検出信号を待つ。検出信号が温度センサ２１６から制御信号生成部６７０へ入力されると、ステップＳ６４５が実行される。
【０２６０】
（ステップＳ６４５）
ステップＳ６４５において、制御信号生成部６７０は、温度センサ２１６からの検出信号が表す温度「Ｔｍ」が目標温度「Ｔｔ」を下回っているか否かを判定する。温度センサ２１６からの検出信号が表す温度「Ｔｍ」が目標温度「Ｔｔ」を下回っているならば、ステップＳ６５０が実行される。他の場合には、ステップＳ６４０が実行される。
【０２６１】
（ステップＳ６５０）
ステップＳ６５０において、制御信号生成部６７０は、目標温度「Ｔｔ」と検出信号が表す温度「Ｔｍ」との差分値が閾値温度「ΔＴｔｈ」を上回っているか否かを判定する。目標温度「Ｔｔ」と検出信号が表す温度「Ｔｍ」との差分値が閾値温度「ΔＴｔｈ」を上回っているならば、ステップＳ６５５が実行される。他の場合には、ステップＳ６４０が実行される。
【０２６２】
（ステップＳ６５５）
ステップＳ６５５において、制御信号生成部６７０は、ヒータ２１５へ制御信号を出力する。
【０２６３】
（目標温度の設定に対する制御）
閾値温度差「ΔＴｔｈ」に代えて、制御信号生成部６７０は、タッチパネル４１０上で選択された因子アイコンに応じて、目標温度を変更してもよい。タッチパネル４１０上で選択された因子アイコンに応じて、目標温度が、使用者が選択した水温アイコンによって定められる温度よりも高い値に設定されるならば、第１群、第３群及び／又は第５群に含まれる汚れ因子は、衣類から効果的に除去される。
【０２６４】
図３０は、因子アイコンの選択に応じて、収容槽２１１内の水に対する目標温度を変更する制御を行う制御信号生成部６７０の動作を表す概略的なフローチャートである。尚、図３０において、図２９に関連して説明されたステップと同一のステップに対して、同一の番号が付されている。同一の番号が付されたステップの説明は省略される。図２８乃至図３０を参照して、制御信号生成部６７０の動作が説明される。
【０２６５】
（ステップＳ６３２）
図２９を参照して説明されたステップＳ６３０に代えて、ステップＳ６３２が実行される。ステップＳ６３２において、制御信号生成部６７０は、目標温度「Ｔｔ」に対する補正値「βｔ（＞０）」を設定する。
【０２６６】
（ステップＳ６３７）
図２９を参照して説明されたステップＳ６３５に代えて、ステップＳ６３７が実行される。ステップＳ６３７において、制御信号生成部６７０は、ステップＳ６３２において設定された補正値「βｔ」を用いて、目標温度「Ｔｔ」を補正する。この結果、ステップＳ６３７において再設定される目標温度「Ｔｔ」は、ステップＳ６１０において設定された目標温度「Ｔｔ」よりも補正値「βｔ」だけ大きくなる。
【０２６７】
（洗浄期間の長さに対する制御）
図２７を参照して、洗浄期間の長さに対する制御が説明される。洗浄期間に対する設定は、機械力に関連する。機械力は、衣類に加わる物理的な力を意味する。洗浄期間が長く設定されるならば、機械力は増大する。この結果、第４群に含まれる汚れ因子は効果的に除去される。
【０２６８】
図３１は、因子アイコンの選択に応じて、洗浄期間を変更する制御を行う制御信号生成部６７０の動作を表す概略的なフローチャートである。図１０、図１５、図２７及び図３１を参照して、制御信号生成部６７０の動作が説明される。
【０２６９】
（ステップＳ７０５）
ステップＳ７０５において、制御信号生成部６７０は、設定記憶部６６０に記憶された水温の設定値「Ｔｓ」を読み出す。その後、ステップＳ７１０が実行される。
【０２７０】
（ステップＳ７１０）
使用者は、図１０を参照して説明された操作部４１１上の操作によって、衣類の種類を選択できる。使用者が設定した衣類種に関するデータ「ＬＴ」は、座標判定部６１０を介して、設定記憶部６６０に出力される。制御信号生成部６７０は、衣類種に関するデータ「ＬＴ」を読み出す。その後、ステップＳ７１５が実行される。
【０２７１】
（ステップＳ７１５）
ステップＳ７１５において、制御信号生成部６７０は、水温の設定値「Ｔｓ」と衣類種に関するデータ「ＬＴ」との組み合わせに応じて、洗浄期間「ＷＴ（Ｔｓ，ＬＴ）」を設定する。その後、ステップＳ７２０が実行される。
【０２７２】
（ステップＳ７２０）
ステップＳ７２０において、制御信号生成部６７０は、因子アイコンの設定データを設定記憶部６６０から読み出す。その後、ステップＳ７２５が実行される。
【０２７３】
（ステップＳ７２５）
ステップＳ７２５において、制御信号生成部６７０は、因子アイコンの設定データが、機械力によって効果的に除去される汚れ因子か否かを判定する。例えば、因子アイコンの設定データが、第４群に表される汚れ因子を含んでいるならば、制御信号生成部６７０は、因子アイコンの設定データが、機械力によって効果的に除去される汚れ因子であると判断してもよい。制御信号生成部６７０は、因子アイコンの設定データが、機械力によって効果的に除去される汚れ因子であると判定するならば、ステップＳ７３０が実行される。他の場合には、ステップＳ７４５が実行される。
【０２７４】
（ステップＳ７３０）
ステップＳ７３０において、制御信号生成部６７０は、洗浄期間に対する補正値「ωｔ（＞０）」を設定する。その後、ステップＳ７３５が実行される。
【０２７５】
（ステップＳ７３５）
ステップＳ７３５において、制御信号生成部６７０は、ステップＳ７１５において設定された洗浄期間「ＷＴ（Ｔｓ，ＬＴ）」に補正値「ωｔ」を加算し、洗浄期間「ＷＴ」を決定する。この結果、洗浄期間「ＷＴ」は、ステップＳ７１５において設定された洗浄期間「ＷＴ（Ｔｓ，ＬＴ）」から補正値「ωｔ」だけ延長される。その後、ステップＳ７４０が実行される。
【０２７６】
（ステップＳ７４０）
図１０を参照して説明された衣類アイコンに関連して、許容される洗浄期間の長さ「ＷＴｍａｘ（ＬＴ）」が定められている。制御信号生成部６７０は、ステップＳ７３５で設定された洗浄期間「ＷＴ」と、許容される洗浄期間の長さ「ＷＴｍａｘ（ＬＴ）」と、を比較する。洗浄期間「ＷＴ」が、許容される洗浄期間の長さ「ＷＴｍａｘ（ＬＴ）」未満であるならば、制御信号生成部６７０は、洗浄期間「ＷＴ」を維持する。他の場合には、ステップＳ７５０が実行される。
【０２７７】
（ステップＳ７４５）
ステップＳ７４５において、制御信号生成部６７０は、洗浄期間「ＷＴ」を、ステップＳ７１５で定められた洗浄期間「ＷＴ（Ｔｓ，ＬＴ）」に設定する。
【０２７８】
（ステップＳ７５０）
ステップＳ７５０において、制御信号生成部６７０は、洗浄期間「ＷＴ」を、許容される洗浄期間の長さ「ＷＴｍａｘ（ＬＴ）」に設定する。
【０２７９】
図３１に示されるフローチャートに従って定められた洗浄期間「ＷＴ」の期間、収容機構２１０、給水機構２２０及び循環機構２３０は、制御部６００の制御下で、洗浄工程を実行する。
【０２８０】
（予備的な洗浄に対する制御）
図３２は、予備的な洗浄を行うか否かを判定する制御部６００の概念図である。図３、図１０、図１４、図１７乃至図１９、図２７及び図３２を参照して、予備的な洗浄に対する制御が説明される。
【０２８１】
図２７に示される如く、予備的な洗浄は、機械力及び洗剤によって除去されやすい汚れ因子に対して効果的である。例えば、機械力及び洗剤によって除去されやすい汚れ因子として、第２群に含まれるタマゴ、離乳食や牛乳といった汚れ因子が例示される。
【０２８２】
使用者が図１８及び図１９を参照して説明された操作を通じて選択した汚れ因子が、機械力及び洗剤によって除去されやすい汚れ因子を含まないならば、制御部６００は、第１洗浄コースを選択する。使用者が選択した汚れ因子が、機械力及び洗剤によって除去されやすい汚れ因子を含むならば、制御部６００は、第２洗浄コースを選択する。尚、図１７を参照して説明されたオプション設定メニュー画像を用いて、使用者が第１オプションアイコンを操作し、予備的な洗浄を要求しているならば、制御部６００は、第２洗浄コースを選択する。第１洗浄コースが選択されるならば、洗浄期間「ＷＴ」の間、給水機構２２０は、第１室２２６を通じて、水槽２１３へ水を供給する。この結果、第１室２２６へ収容された洗剤と水との混合液が水槽２１３へ供給される。第２洗浄コースが選択されるならば、洗浄期間「ＷＴ」の間において、給水機構２２０は、制御部６００の制御下で、切替弁２２４を動作させ、第２室２２７を通じて、水槽２１３へ水を供給し、その後、第１室２２６を通じて給水する。この結果、第１室２２６へ収容された洗剤と水との混合液だけでなく、第２室２２７に収容された洗剤と水との混合液も水槽２１３へ供給される。
【０２８３】
第２室２２７には、予備的な洗浄に専ら用いられる洗剤が収容されている。第２室２２７に収容される洗剤は、第１室２２６に収容される洗剤よりも、短期間で汚れ因子を衣類から分離する能力に優れていてもよい。
【０２８４】
制御部６００が第１洗浄コースを選択するならば、比較的少ない洗剤量の下、衣類が洗浄される。したがって、洗浄工程の後の濯ぎ工程が短く設定されてもよい。また、洗浄工程及び濯ぎ工程に用いられる水量が低減される。
【０２８５】
制御部６００が第２洗浄コースを選択するならば、比較的多い洗剤量の下、衣類が洗浄される。したがって、タマゴ、離乳食や牛乳といった汚れ因子は、衣類から効果的に除去される。
【０２８６】
図３２に示される如く、予備的な洗浄が行われるならば、洗浄期間「ＷＴ」は、多くの場合、長くなる。この結果、機械力も増大される。したがって、使用者が選択した複数の汚れ因子のうち一方が、洗剤の洗浄力によって効果的に除去され、且つ、他のもう１つが機械力によって効果的に除去されるならば、制御部６００は、第２洗浄コースを選択してもよい。
【０２８７】
図３２に示される如く、第１洗浄コースの洗浄期間「ＷＴ」は、第２洗浄コースの洗浄期間「ＷＴ」よりも、多くの場合、短くなる。したがって、使用者が、図１０を参照して説明された操作を通じて、傷みやすい衣類を選択しているならば、制御部６００は、第１洗浄コースを選択してもよい。尚、使用者が、図１４を参照して説明された操作を通じて、高い水温を設定しているならば、必要な洗浄期間「ＷＴ」は短くなる。したがって、第２洗浄コースの洗浄期間「ＷＴ」が、衣類種によって許容される洗浄期間の長さ「ＷＴｍａｘ（ＬＴ）」未満であるならば、制御部６００は、第２洗浄コースを選択してもよい。
【０２８８】
（浸洗工程に対する制御）
図３３は、洗浄工程の前に浸洗工程を行うか否かを判定する制御部６００の概念図である。図２、図１０、図１４、図１８、図１９、図２７及び図３３を参照して、浸洗工程に対する制御が説明される。
【０２８９】
浸洗工程が開始されると、給水機構２２０から収容槽２１１に洗剤を含有する水を供給される。その後、衣類は、浸洗工程が終了するまで、収容槽２１１内に留められる。浸洗工程の間、回転ドラム２１２は、ほとんど回転されない。したがって、浸洗工程の間に衣類に与えられる攪拌は、後の洗浄工程よりも少ない。浸洗工程の間、衣類に付着した汚れ因子は、洗剤によって除去されるので、浸洗工程は、図２７に示される如く、洗剤によって除去されやすい汚れ因子に効果的である。洗剤によって除去されやすい汚れ因子として、茶、デザートやワインといった汚れ因子が例示される。
【０２９０】
使用者が図１８及び図１９を参照して説明された操作を通じて選択した汚れ因子が、洗剤によって除去されやすい汚れ因子を含まないならば、制御部６００は、第１運転コースを選択する。使用者が選択した汚れ因子が、洗剤によって除去されやすい汚れ因子を含むならば、第２運転コースを選択する。第１運転コースが選択されるならば、浸洗工程は実行されない。第２運転コースが選択されるならば、洗浄工程の前に、浸洗工程が実行される。
【０２９１】
使用者が、図１０を参照して説明された操作を通じて、傷みやすい衣類を選択し、且つ、図１８及び図１９を参照して説明された操作を通じて、洗剤によって除去されやすい汚れ因子を選択しているならば、制御部６００による第２運転コースの選択は有効である。制御部６００は、図１４を参照して説明された操作を通じて設定された水温に応じて、浸洗工程の期間「ＳＴ」を定めてもよい。使用者が高い水温を設定するならば、制御部６００は、浸洗工程の期間「ＳＴ」を短くしてもよい。
【０２９２】
（循環水量に対する制御）
図２、図１０、図１４、図１８、図１９及び図２７を参照して、循環水流を利用した洗浄が説明される。
【０２９３】
図２に示される如く、洗浄工程において循環機構２３０が作動すると、吐出管２３６を通じて、回転ドラム２１２内に洗剤を含む水が流入する。衣類に付着した汚れ因子と循環水に含まれる洗剤とが接触するので、汚れ因子は衣類から引き剥がされやすくなる。したがって、使用者が洗剤によって効果的に除去される汚れ因子を選択しているならば、衣類は、循環水流を用いて、効果的に洗浄される。
【０２９４】
図２７に示される如く、浸洗工程と同様に、循環水流を用いた洗浄は、洗剤の力を利用する。上述の浸洗工程は、循環水流と比べて、高い水温によって除去されやすい汚れ因子を効果的に除去する。一方、循環水流を用いた洗浄は、洗剤と汚れ因子との接触に主に基づくので、浸洗工程よりも温度依存性は小さい。したがって、使用者が、図１８及び図１９を参照して説明された操作を通じて選択した汚れ因子が、高い水温下で除去されやすく（例えば、コーヒや茶）、且つ、使用者が、図１４を参照して説明された操作を通じて設定した水温が高いならば、浸洗工程が優先的に選択されてもよい。
【０２９５】
図２７に示される如く、循環水流を用いた洗浄は、浸洗工程よりも大きな機械力をもたらす。したがって、使用者が選択した汚れ因子が、機械力によっても除去されやすいならば（例えば、雑草やチョコレート）、循環水流を用いた洗浄が優先的に選択されてもよい。代替的に、使用者が、図１０を参照して説明された操作を通じて選択した衣類種が、傷みやすい衣類を洗わすならば、浸洗工程が優先的に選択されてもよい。尚、浸洗工程及び循環水流を用いた洗浄がともに行われてもよい。
【０２９６】
図３４は、循環水量を決定するための手順を表す概略的なフローチャートである。図１５及び図３４を参照して、循環水量を決定するための手順が説明される。
【０２９７】
（ステップＳ８１０）
ステップＳ８１０において、制御信号生成部６７０は、循環水量「Ｃａ」を設定する。その後、ステップＳ８２０が実行される。
【０２９８】
（ステップＳ８２０）
ステップＳ８２０において、制御信号生成部６７０は、因子アイコンの設定データを設定記憶部６６０から読み出す。その後、ステップＳ８３０が実行される。
【０２９９】
（ステップＳ８３０）
ステップＳ８３０において、制御信号生成部６７０は、設定記憶部６６０から読み出された設定データが、洗剤によって効果的に除去される汚れ因子を表しているか否かを判定する。設定データが、洗剤によって効果的に除去される汚れ因子を表しているならば、ステップＳ８４０が実行される。他の場合には、ステップＳ８６０が実行される。
【０３００】
（ステップＳ８４０）
ステップＳ８４０において、制御信号生成部６７０は、循環水量に対する補正値「γａ（＞０）」を設定する。その後、ステップＳ８５０が実行される。
【０３０１】
（ステップＳ８５０）
ステップＳ８５０において、制御信号生成部６７０は、ステップＳ８１０において設定された循環水量「Ｃａ」に、補正値「γａ」を加算し、循環水量「Ｃａ」を再設定する。
【０３０２】
（ステップＳ８６０）
ステップＳ８６０において、制御信号生成部６７０は、ステップＳ８１０において設定された循環水量「Ｃａ」で、洗浄工程中の循環水量を最終決定する。
【０３０３】
図３４に示されるフローチャートに従って定められた循環水量「Ｃａ」に応じて、制御信号生成部６７０は、循環機構２３０の作動頻度及び／又は作動期間を設定してもよい。
【０３０４】
（回転ドラムの動作パターンに対する制御）
図３５Ａ乃至図３５Ｃは、洗浄工程中の回転ドラム２１２の動作をそれぞれ概略的に表す。図１０、図１４、図１５、図１８、図１９、図２７、図３５Ａ乃至図３５Ｃを参照して、回転ドラム２１２の動作パターンに対する制御が説明される。
【０３０５】
図２７に示される機械力は、洗浄工程中の回転ドラム２１２の動作にも影響される。図３５Ａは、回転ドラム２１２の第１動作を表す。図３５Ｂは、回転ドラム２１２の第２動作を表す。図３５Ｃは、回転ドラム２１２の第３動作を表す。
【０３０６】
（第１動作）
回転ドラム２１２は、回転方向を交互に切り換え、衣類を攪拌する。
【０３０７】
（第２動作）
回転ドラム２１２は、約１８０°断続的に回転する。回転ドラム２１２が回転している間、衣類は、上方に変位される。その後、回転ドラム２１２が停止すると、衣類は落下する。この結果、衣類は、回転ドラム２１２に叩きつけられる。
【０３０８】
（第３動作）
回転ドラム２１２は、高速で回転軸ＲＸ周りを回転する。この結果、衣類は、回転軸ＲＸ周りを周回する。
【０３０９】
制御信号生成部６７０は、図１０を参照して説明された操作を通じて設定された衣類種、図１４を参照して説明された操作を通じて設定された水温、図１８及び図１９を参照して説明された操作を通じて設定された汚れ因子に応じて、第１乃至第３動作それぞれの期間、順序及びタイミングを決定してもよい。
【０３１０】
（因子アイコンの設定の効果）
図３６は、因子アイコンの設定の効果を例示する表である。図１及び図３６を参照し、因子アイコンの効果が説明される。
【０３１１】
本発明者は、衣類としてコットンを選択した。本発明者は、様々な汚れ因子をコットンに滴下し、略円形のシミを視認可能なテストサンプルを作成した。尚、汚れ因子ごとに、滴下量は略一定である。使用者は、水温を４０℃に設定し、市販の洗剤を用いて、洗浄した。尚、洗濯機１００に供給される水の温度は、１５±２℃であった。また、洗濯機１００に供給される水の硬度は、２５０ｐｐｍであった。
【０３１２】
図３６に示される様々な数値は、テストサンプルを洗浄した後に行われた目視検査の結果を表す。高い数値は、高い満足度（即ち、汚れがより多く除去されたことが視覚的に知覚されたこと）を表す。
【０３１３】
図３６に示される如く、因子アイコンを用いて、特定の汚れ因子に対して適切な洗浄が行われるならば、何ら汚れ因子が特定されない条件と比べて、高い満足度が得られた。したがって、上述の因子アイコンの設定を用いた洗浄は、従来の洗濯機と比べて、高い洗浄能力を発揮するということができる。
【産業上の利用可能性】
【０３１４】
本実施形態の原理は、洗濯、脱水や濯ぎといった処理を衣類に対して行う様々な装置に好適に利用される。
【符号の説明】
【０３１５】
１００・・・・・・・・・・洗濯機
２００・・・・・・・・・・処理機構
２１１・・・・・・・・・・収容槽
２１２・・・・・・・・・・回転ドラム
２１５・・・・・・・・・・ヒータ
２１６・・・・・・・・・・温度センサ
２２０・・・・・・・・・・給水機構
２２２・・・・・・・・・・給水弁
２２４・・・・・・・・・・切替弁
２２５・・・・・・・・・・洗剤収容箱
２２６・・・・・・・・・・第１室
２２７・・・・・・・・・・第２室
２３０・・・・・・・・・・循環機構
４００・・・・・・・・・・入力インターフェース
４１１・・・・・・・・・・操作部
４１２・・・・・・・・・・液晶パネル
４１３・・・・・・・・・・操作領域
４１７・・・・・・・・・・透明電極板
４２０・・・・・・・・・・バックライト装置
６００・・・・・・・・・・制御部
６２０・・・・・・・・・・画像生成部
６４０・・・・・・・・・・第２記憶部
ＲＸ・・・・・・・・・・・回転軸
ＶＬ・・・・・・・・・・・鉛直線
【図１】
2014042704.tif 000003
【図２】
2014042704.tif 000004
【図３】
2014042704.tif 000005
【図４】
2014042704.tif 000006
【図５】
2014042704.tif 000007
【図６】
2014042704.tif 000008
【図７】
2014042704.tif 000009
【図１１】
2014042704.tif 000010
【図１２】
2014042704.tif 000011
【図１３】
2014042704.tif 000012
【図１５】
2014042704.tif 000013
【図１６】
2014042704.tif 000014
【図２１Ａ】
2014042704.tif 000015
【図２１Ｂ】
2014042704.tif 000016
【図２２】
2014042704.tif 000017
【図２５】
2014042704.tif 000018
【図２７】
2014042704.tif 000019
【図２８】
2014042704.tif 000020
【図２９】
2014042704.tif 000021
【図３０】
2014042704.tif 000022
【図３１】
2014042704.tif 000023
【図３２】
2014042704.tif 000024
【図３３】
2014042704.tif 000025
【図３４】
2014042704.tif 000026
【図３５Ａ】
2014042704.tif 000027
【図３５Ｂ】
2014042704.tif 000028
【図３５Ｃ】
2014042704.tif 000029
【図３６】
2014042704.tif 000030
【図８Ａ】
2014042704.tif 000031
【図８Ｂ】
2014042704.tif 000032
【図９】
2014042704.tif 000033
【図１０】
2014042704.tif 000034
【図１４】
2014042704.tif 000035
【図１７】
2014042704.tif 000036
【図１８】
2014042704.tif 000037
【図１９】
2014042704.tif 000038
【図２０Ａ】
2014042704.tif 000039
【図２０Ｂ】
2014042704.tif 000040
【図２３】
2014042704.tif 000041
【図２４】
2014042704.tif 000042
【図２６Ａ】
2014042704.tif 000043
【図２６Ｂ】
2014042704.tif 000044
【図２６Ｃ】
2014042704.tif 000045
【図２６Ｄ】
2014042704.tif 000046
【図２６Ｅ】
2014042704.tif 000047